(57)【要約】【課題】  複数のフレームフォーマットが多重されて使用される環境下において、他の無線アクセスシステムとの共存を達成しつつ、高い周波数利用効率を実現する、基地局装置、端末装置、および通信方法を提供すること。【解決手段】  本発明の端末装置は、複数のフレーム構成のうち少なくとも１つのフレーム構成を示す情報を前記基地局装置から受信する受信部と、前記フレーム構成に基づいて離散スペクトル信号を生成し、前記離散スペクトル信号が備える複数のスペクトル集合にそれぞれ重み係数を乗算して送信する。【選択図】図２
2019145869.tif 000002
【特許請求の範囲】
【請求項１】
専用的に使用できる第１の周波数帯域に適用される通信方式を、前記第１の周波数帯域とは異なる第２の周波数帯域に適用する通信システムが備え、基地局装置と通信を行なう端末装置であって、
複数のフレーム構成のうち少なくとも１つのフレーム構成を示す情報を前記基地局装置から受信する受信部と、
前記フレーム構成に基づいて離散スペクトル信号を生成し、前記離散スペクトル信号が備える複数のスペクトル集合にそれぞれ重み係数を乗算して送信する送信部と、を備える端末装置。
【請求項２】
前記送信部は、前記離散スペクトル信号の占有帯域幅、前記スペクトル集合の占有帯域幅、前記スペクトル集合が備えるサブキャリア数、前記複数のスペクトル集合の間の周波数間隔の、いずれか少なくとも１つを、前記フレーム構成毎に異なる値に設定する、請求項１に記載の端末装置。
【請求項３】
前記送信部は、前記フレーム構成を示す情報が、所定のフレーム構成を示す場合、前記複数のスペクトル集合に重み係数を乗算しない、請求項１または請求項２に記載の端末装置。
【請求項４】
前記受信部は、前記送信部が前記複数のスペクトル集合に対する重み係数の乗算を行なうか否かを示す情報を、前記基地局装置より取得する、請求項１または請求項２に記載の端末装置。
【請求項５】
専用的に使用できる第１の周波数帯域に適用される通信方式を、前記第１の周波数帯域とは異なる第２の周波数帯域に適用する通信システムが備え、複数の端末装置と通信を行なう基地局装置であって、
複数のフレーム構成のうち、少なくとも１つのフレーム構成を前記複数の端末装置にそれぞれ通知する制御情報と、前記複数の端末装置が前記第２の周波数帯域において上りリンク信号を送信する無線リソースを示すスケジューリング情報と、を通知する送信部を備え、
前記スケジューリング情報には、異なるフレーム構成が設定された複数の端末装置の上りリンク信号が周波数多重される無線リソース割り当て情報が含まれている、基地局装置。
【請求項６】
前記複数の端末装置に設定された前記フレーム構成に基づいて、前記周波数多重される前記複数の端末装置の個数の最大値を設定するスケジューリング部と、を備える請求項５に記載の基地局装置。
【請求項７】
前記端末装置が送信する上りリンク信号は、離散スペクトル信号であり、
前記送信部は、前記端末装置の前記離散スペクトル信号が備えるスペクトル集合に対する重み係数乗算を指示する制御情報を、前記端末装置に通知する、請求項５または請求項６に記載の基地局装置。
【請求項８】
専用的に使用できる第１の周波数帯域に適用される通信方式を、前記第１の周波数帯域とは異なる第２の周波数帯域に適用する通信システムが備え、基地局装置と通信を行なう端末装置における通信方法であって、
複数のフレーム構成のうち少なくとも１つのフレーム構成を示す情報を前記基地局装置から受信するステップと、
前記フレーム構成に基づいて離散スペクトル信号を生成し、前記離散スペクトル信号が
備える複数のスペクトル集合にそれぞれ重み係数を乗算して送信するステップと、を備える通信方法。
【発明の詳細な説明】
【技術分野】
【０００１】
本発明は、無線送信装置、無線受信装置および通信方法に関する。
【背景技術】
【０００２】
３ＧＰＰ（Third Generation Partnership Project）によって仕様策定されたＬＴＥ（Long Term Evolution）、ＬＴＥ−Ａ（LTE-Advanced）のような通信システムでは、基地
局装置（基地局、送信局、送信点、下りリンク送信装置、上りリンク受信装置、送信アンテナ群、送信アンテナポート群、コンポーネントキャリア、ｅＮｏｄｅＢ、アクセスポイント、ＡＰ）或いは基地局装置に準じる送信局がカバーするエリアをセル（Cell）状に複数配置するセルラ構成とすることにより、通信エリアを拡大することができる。基地局装置には、端末装置（受信局、受信点、下りリンク受信装置、上りリンク送信装置、受信アンテナ群、受信アンテナポート群、ＵＥ、ステーション、ＳＴＡ）が接続する。このセルラ構成において、隣接するセルまたはセクタ間で同一周波数を利用することで、周波数利用効率を向上させることができる。
【０００３】
ＬＴＥ／ＬＴＥ−Ａでは、周波数分割複信、時間分割複信、およびライセンス補助アクセスに対し、それぞれフレームフォーマットが定義されている。例えば、周波数分割複信を用いるＬＴＥ／ＬＴＥ−Ａの基地局装置および端末装置は、通信帯域幅などに依らず、常に共通のフレームフォーマットを用いて通信を行なうことができる。
【０００４】
また、２０２０年頃の商業サービス開始を目指し、第５世代移動無線通信システム（5Gシステム）に関する研究・開発活動が盛んに行なわれている。最近、国際標準化機関である国際電気通信連合  無線通信部門（International Telecommunication Union Radio communications Sector：ＩＴＵ−Ｒ）より、５Ｇシステムの標準方式（International mobile telecommunication - 2020 and beyond：IMT-2020）に関するビジョン勧告が報告さ
れた（非特許文献１参照）。
【０００５】
５Ｇシステムでは、３つの大きなユースシナリオ（Enhanced mobile broadband(EMBB)
、Enhanced Massive machine type communication(eMTC)、Ultra-reliable and low latency communication(URLLC)）に代表される様々な要求条件を満たすために、様々な周波数バンドを組み合わせて、無線アクセスネットワークを運用することが想定されている。そのため、５Ｇシステムでは、従来のＬＴＥ／ＬＴＥ−Ａとは異なり、同じアクセス方式でありながら、異なるフレームフォーマットを多重して用いることが想定されている。
【０００６】
通信システムがデータトラフィックの急増に対処していく上で、周波数資源の確保は重要な課題である。これまでＬＴＥに代表されるセルラーサービスを提供する通信システムが想定した周波数バンド（周波数帯域）は、無線事業者がサービスを提供する国や地域から使用許可が得られた、いわゆるライセンスバンド（licensed band）と呼ばれる周波数
バンドであり、利用可能な周波数帯域には限りがある。
【０００７】
そこで最近、国や地域からの使用許可を必要としない、いわゆるアンライセンスバンド（unlicensed band）と呼ばれる周波数バンドを用いたセルラーサービスが議論されてい
る。例えば、ＬＴＥシステムにおいては、ライセンス補助アクセス（License assisted access：ＬＡＡ）として仕様化された（非特許文献２参照）。データトラフィックの益々
の急増が予想される５Ｇシステムにおいても、アンライセンスバンドの積極活用が必須となる事が予想される。
【先行技術文献】
【非特許文献】
【０００８】
【非特許文献１】“IMT Vision - Framework and overall objectives of the future development of IMT for 2020 and beyond,” Recommendation ITU-R M.2083-0, Sept. 2015.
【非特許文献２】ＲＰ−１４０２５９、“Ｓｔｕｄｙ  ｏｎ  Ｌｉｃｅｎｓｅｄ−Ａｓｓｉｓｔｅｄ  Ａｃｃｅｓｓ  ｕｓｉｎｇ  ＬＴＥ、”  ３ＧＰＰ  ＴＳＧ  ＲＡＮ  Ｍｅｅｔｉｎｇ  ＃６３、２０１４年  ３月。
【発明の概要】
【発明が解決しようとする課題】
【０００９】
しかしながら、アンライセンスバンドは、無線ローカルエリアネットワークに代表される他の無線アクセスシステムも共用しており、５Ｇシステムがアンライセンスバンドを活用していく上で、他の無線アクセスシステムとの共存が不可欠である。しかし、複数のフレームフォーマットが多重されて使用されることが想定されている５Ｇシステムにおいては、フレームフォーマット毎にシンボル長が異なることや、サブキャリアあたりの占有帯域幅が異なることから、他の無線アクセスシステムに対して、不必要な干渉を与えてしまい、アンライセンスバンド自体の周波数利用効率を著しく劣化させてしまう課題が存在することになる。
【００１０】
本発明はこのような事情を鑑みてなされたものであり、その目的は、複数のフレームフォーマットが多重されて使用される環境下において、他の無線アクセスシステムとの共存を達成しつつ、高い周波数利用効率を実現する、基地局装置、端末装置、および通信方法を提供することにある。
【課題を解決するための手段】
【００１１】
上述した課題を解決するために本発明に係る基地局装置、端末装置および通信方法の構成は、次の通りである。
【００１２】
（１）すなわち、本発明の端末装置は、専用的に使用できる第１の周波数帯域に適用される通信方式を、前記第１の周波数帯域とは異なる第２の周波数帯域に適用する通信システムが備え、基地局装置と通信を行なう端末装置であって、複数のフレーム構成のうち少なくとも１つのフレーム構成を示す情報を前記基地局装置から受信する受信部と、前記フレーム構成に基づいて離散スペクトル信号を生成し、前記離散スペクトル信号が備える複数のスペクトル集合にそれぞれ重み係数を乗算して送信する送信部と、を備える。
【００１３】
（２）また、本発明の端末装置は、上記（１）に記載の端末装置であって、前記送信部は、前記離散スペクトル信号の占有帯域幅、前記スペクトル集合の占有帯域幅、前記スペクトル集合が備えるサブキャリア数、前記複数のスペクトル集合の間の周波数間隔の、いずれか少なくとも１つを、前記フレーム構成毎に異なる値に設定する。
【００１４】
（３）また、本発明の端末装置は、上記（１）に記載の端末装置であって、前記送信部は、前記フレーム構成を示す情報が、所定のフレーム構成を示す場合、前記複数のスペクトル集合に重み係数を乗算しない。
【００１５】
（４）また、本発明の端末装置は、上記（１）に記載の端末装置であって、前記受信部は、前記送信部が前記複数のスペクトル集合に対する重み係数の乗算を行なうか否かを示す情報を、前記基地局装置より取得する。
【００１６】
（５）また、本発明の基地局装置は、専用的に使用できる第１の周波数帯域に適用され
る通信方式を、前記第１の周波数帯域とは異なる第２の周波数帯域に適用する通信システムが備え、複数の端末装置と通信を行なう基地局装置であって、複数のフレーム構成のうち、少なくとも１つのフレーム構成を前記複数の端末装置にそれぞれ通知する制御情報と、前記複数の端末装置が前記第２の周波数帯域において上りリンク信号を送信する無線リソースを示すスケジューリング情報と、を通知する送信部を備え、前記スケジューリング情報には、異なるフレーム構成が設定された複数の端末装置の上りリンク信号が周波数多重される無線リソース割り当て情報が含まれている。
【００１７】
（６）また、本発明の基地局装置は、上記（５）に記載の基地局装置であって、前記複数の端末装置に設定された前記フレーム構成に基づいて、前記周波数多重される端末装置の個数の最大値を設定するスケジューリング部と、を備える。
【００１８】
（７）また、本発明の基地局装置は、上記（５）に記載の基地局装置であって、前記端末装置が送信する上りリンク信号は、離散スペクトル信号であり、前記送信部は、前記端末装置の前記離散スペクトル信号が備えるスペクトル集合に対する重み係数乗算を指示する制御情報を、前記端末装置に通知する。
【００１９】
（８）また、本発明の通信方法は、専用的に使用できる第１の周波数帯域に適用される通信方式を、前記第１の周波数帯域とは異なる第２の周波数帯域に適用する通信システムが備え、基地局装置と通信を行なう端末装置における通信方法であって、複数のフレーム構成のうち少なくとも１つのフレーム構成を示す情報を前記基地局装置から受信するステップと、前記フレーム構成に基づいて離散スペクトル信号を生成し、前記離散スペクトル信号が備える複数のスペクトル集合にそれぞれ重み係数を乗算して送信するステップと、を備える。
【発明の効果】
【００２０】
本発明によれば、複数のフレームフォーマットが多重されて使用される環境下において、他の無線アクセスシステムとの共存を達成しつつ、高い周波数利用効率を実現する無線アクセスネットワークが実現されるから、通信システムの通信品質の大幅な改善が可能となる。
【図面の簡単な説明】
【００２１】
【図１】本発明の一態様に係る通信システムの例を示す図である。
【図２】本発明の一態様に係る基地局装置の１構成例を示すブロック図である。
【図３】本発明の一態様に係る端末装置の１構成例を示すブロック図である。
【図４】本発明の一態様に係るフレームフォーマットの１例を示す図である。
【図５】本発明の一態様に係るフレームフォーマットの１例を示す図である。
【図６】本発明の一態様に係るフレームフォーマットの１例を示す図である。
【図７】本発明の一態様に係るフレームフォーマットの１例を示す図である。
【図８】本発明の一態様に係るフレームフォーマットの１例を示す図である。
【図９】本発明の一態様に係るフレームフォーマットの１例を示す図である。
【図１０】本発明の一態様に係る信号スペクトルの一例を示す図である。
【図１１】本発明の一態様に係る信号スペクトルの一例を示す図である。
【図１２】本発明の一態様に係るフレームフォーマットの１例を示す図である。
【図１３】本発明の一態様に係る媒体占有時間の分類の１例を示す図である。
【図１４】本発明の一態様に係るフレームフォーマットの１例を示す図である。
【図１５】本発明の一態様に係るスケジューリング方法の１例を示す図である。
【発明を実施するための形態】
【００２２】
本実施形態における通信システムは、基地局装置（送信装置、セル、送信点、送信アン
テナ群、送信アンテナポート群、コンポーネントキャリア、ｅＮｏｄｅＢ、アクセスポイント、ＡＰ、無線ルータ、中継、通信装置）および端末装置（端末、移動端末、受信点、受信端末、受信装置、受信アンテナ群、受信アンテナポート群、ＵＥ、ステーション、ＳＴＡ）を備える。
【００２３】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２４】
［１．第１の実施形態］
図１は、本実施形態に係る通信システムの例を示す図である。図１に示すように、本実施形態における通信システムは、基地局装置１Ａ（単に基地局装置１とも記載する）、端末装置２Ａ、２Ｂ（併せて、単に端末装置２とも記載する）を備える。また、カバレッジ１−１は、基地局装置１Ａが端末装置と接続可能な範囲（通信エリア）である。なお、本実施形態に係る通信システムは、複数の基地局装置（例えば、基地局装置１Ｂ）や、３以上の端末装置を含むことが可能である。
【００２５】
図１において、端末装置２から基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００２６】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００２７】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（code rate）とすることができる。ＣＱＩ値は、前記変更方式や符号化率によ
り定められたインデックス（CQI Index）とすることができる。前記ＣＱＩ値は、予め当
該システムで定めたものをすることができる。
【００２８】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２９】
ＰＵＳＣＨは、上りリンクデータ（上りリンクトランスポートブロック、UL-SCH）を送
信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３０】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３１】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３２】
ＰＲＡＣＨは、ランダムアクセスプリアンブルを送信するために用いられる。
【００３３】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３４】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。基地局装置１Ａは、ＳＲＳの設定情報を、上位レイヤのシグナリングもしくは後述するＤＣＩフォーマットで通知することができる。基地局装置１Ａは、ＤＭＲＳの設定情報を、上位レイヤのシグナリングもしくは後述するＤＣＩフォーマットで通知することができる。
【００３５】
ＳＲＳは、複数のトリガのされ方が定義される。例えば、上位レイヤのシグナリングによりトリガされるトリガータイプ０と、後述する下りリンク制御情報によりトリガされるトリガータイプ１である。
【００３６】
ＳＲＳは、セル固有のＳＲＳ（Cell specific SRS, Common SRS）とＵＥ固有のＳＲＳ
（UE-specific SRS, Dedicated SRS）を含む。ＵＥ−ｓｐｅｃｉｆｉｃ  ＳＲＳは周期的に送信されるＳＲＳ（UE-specific periodic SRS）と、トリガに基づいて非周期的に送信されるＳＲＳ（UE-specific aperiodic SRS）を含む。
【００３７】
Ｃｏｍｍｏｎ  ＳＲＳは、上位レイヤのシグナリング、もしくは後述する下りリンク制御情報により、送信帯域幅（srs-BandwidthConfig）と、送信されるサブフレーム（srs-SubframeConfig）が指定される。また、Ｃｏｍｍｍｏｎ  ＳＲＳは所定のパラメータ（例
えばackNackSRS-SimultaneousTransmission）がＦａｌｓｅであった場合、ＨＡＲＱ−Ａ
ＣＫとＳＲの少なくとも１つを含むＰＵＣＣＨが含まれるサブフレームでは送信されない。一方で、Ｃｏｍｍｍｏｎ  ＳＲＳは所定のパラメータ（例えばackNackSRS-SimultaneousTransmission）がＴｒｕｅであった場合、ＨＡＲＱ−ＡＣＫとＳＲの少なくとも１つを
含むＰＵＣＣＨが含まれるサブフレームで送信されることができる。
【００３８】
Ｄｅｄｉｃａｔｅｄ  ＳＲＳは、上位レイヤのシグナリング、もしくは後述する下りリンク制御情報により、送信帯域幅と、ホッピング帯域幅(srs-HoppingBandwidth)と、周波
数割当開始位置(freqDomainPosition)と、送信期間（Duration）（Single transmission
もしくはindefinite transmission）と、送信周期（srs-ConfigIndex）と、ＳＲＳの信号系列に与えられる巡回シフト量（cyclicShift）と、櫛の歯に形成されるＳＲＳの位置（transmissionComb）が、それぞれ設定される。
【００３９】
ＳＲＳは、複数のアンテナポートより送信されることができる。送信アンテナポート数は上位レイヤのシグナリングにより設定される。複数のアンテナポートにおけるＳＲＳ送信が設定されたＵＥは、サービングセルに対して、同じサブフレームの１つのＳＣ−ＦＤＭＡシンボルにより、設定された送信アンテナポートの全てからＳＲＳを送信しなければならない。この場合、設定された送信アンテナポートから送信されるＳＲＳは、全て同じ送信帯域幅と、周波数割当開始位置が設定される。
【００４０】
複数のＴｒａｎｓｍｉｓｓｉｏｎ  ａｄｖａｎｃｅ  ｇｒｏｕｐs（ＴＡＧs）が設定されないＵＥは、ＳＲＳとＰＵＳＣＨが同じシンボル内でオーバーラップしない限り、ＳＲＳを送信してはならない。
【００４１】
ＴＤＤのサービングセルに対して、サービングセルのＵｐＰＴＳに１つのＳＣ−ＦＤＭＡシンボルが含まれている場合、ＵＥは該ＳＣ−ＦＤＭＡシンボルをＳＲＳの送信に用いることができる。サービングセルのＵｐＰＴＳに２つのＳＣ−ＦＤＭＡシンボルが含まれている場合、ＵＥは該２つのＳＣ−ＦＤＭＡシンボルの両方をＳＲＳの送信に用いることができる。また、トリガータイプ０のＳＲＳは、同じＵＥに対して、該２つのＳＣ−ＦＤＭＡシンボルの両方をＳＲＳに設定されることができる。
【００４２】
ＨＡＲＱ−ＡＣＫとＳＲＳを１つのサブフレームで送信することをサポートすることを設定されたＵＥは、プライマリセルのセル固有ＳＲＳ送信が設定されたサブフレーム（cell specific SRS subframes）において、を含むＰＵＣＣＨが含まれるサブフレームで送
信
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭシンボルの数）を指示する情報を送信するために用いられる。
【００４３】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信し
なかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００４４】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００４５】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４６】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４７】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４８】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４９】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding
type Indicator）などが該当する。
【００５０】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５１】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００５２】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５３】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００５４】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５５】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５６】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００５７】
ここで、ＲＲＣメッセージおよび／またはＭＡＣ  ＣＥを、上位層の信号（higher layer signaling）とも称する。
【００５８】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００５９】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００６０】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６１】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００６２】
ここで、下りリンク参照信号には、ＣＲＳ（Cell-specific Reference Signal;
セル固有参照信号）、ＵＲＳ（UE-specific Reference Signal；端末固有参照信号）、ＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６３】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６５】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００６６】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００６７】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６８】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００６９】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダ
リセル（ＳＣｅｌｌ；Secondary Cell）がサービングセルの集合として設定される。
【００７０】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣｅｌｌ）とオプションで１又は複数のＳＣｅｌｌから構成される。
【００７１】
図２は、本実施形態における基地局装置１Ａの構成を示す概略ブロック図である。図２に示すように、基地局装置１Ａは、上位層処理部（上位層処理ステップ）１０１、制御部（制御ステップ）１０２、送信部（送信ステップ）１０３、受信部（受信ステップ）１０４とアンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、フレーム構成部（フレーム構成ステップ）１０３３、多重部（多重ステップ）１０３４、無線送信部（無線送信ステップ）１０３５、を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００７２】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００７３】
上位層処理部１０１は、端末装置の機能（UE capability、機能情報）等、端末装置に
関する情報を端末装置から受信する。言い換えると、端末装置は、自身の機能を基地局装置に上位層の信号で送信する。
【００７４】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００７５】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００７６】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００７７】
スケジューリング部１０１２は、物理チャネル（ＰＤＳＣＨおよびＰＵＳＣＨ）を割り
当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００７８】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００７９】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８０】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、アンテナ１０５を介して端末装置２に信号を送信する。
【００８１】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modulation）、６４ＱＡＭ、２５６ＱＡＭ等の予め定められた、または無線リソース制御部２０１１が決定した変調方式で変調する。
【００８２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。なお、下りリンク参照信号は、基地局装置１Ａを識別するための物理セル識別子（ＰＣＩ、セルＩＤ）などを基に予め定められた規則で求まる、端末装置２Ａが既知の系列に基づいて、送信部１０３が生成する。
【００８３】
フレーム構成部１０３３は、送信部１０３が生成する送信信号のフレーム構成（フレームフォーマット、フレーム構造、フレームストラクチャ）を提供する。フレーム構成部１０３３の動作は後述する。なお、以下の説明では、送信部１０３がフレーム構成部１０３３を備えるものとするが、他の構成部が口授するフレーム構成部１０３３の機能を有していても良い。例えば、上位層処理部１０１が該機能を有していても構わない。
【００８４】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、アンテナ１０５に出力して送信する。
【００８５】
受信部１０４は、制御部１０２から入力された制御信号に従って、送受信アンテナ１０５を介して端末装置２Ａから受信した受信信号を分離、復調、復号し、復号した情報を上
位層処理部１０１に出力する。
【００８６】
受信部１０４は、制御部１０２から入力された制御信号に従って、アンテナ１０５を介して端末装置２Ａから受信した受信信号を分離、復調、復号し、復号した情報を上位層処理部１０１に出力する。
【００８７】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００８８】
無線受信部１０４１は、変換したディジタル信号からＣＰに相当する部分を除去する。無線受信部１０４１は、ＣＰを除去した信号に対して高速フーリエ変換（Fast Fourier Transform：ＦＦＴ）を行い、周波数領域の信号を抽出し多重分離部１０４２に出力する。
【００８９】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００９０】
また、多重分離部１０４２は、ＰＵＣＣＨとＰＵＳＣＨの伝搬路の補償を行なう。また、多重分離部１０４２は、上りリンク参照信号を分離する。
【００９１】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【００９２】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００９３】
図３は、本実施形態における端末装置２（端末装置２Ａおよび端末装置２Ｂ）の構成を示す概略ブロック図である。図３に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５とアンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、フレーム構成部（フレーム構成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３、フレーム解釈部（フレーム解釈ステップ）２０４４を含んで構成される。
【００９４】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【００９５】
上位層処理部２０１は、自端末装置がサポートしている端末装置の機能を示す情報を、送信部２０３に出力する。
【００９６】
無線リソース制御部２０１１は、自端末装置の各種設定情報の管理をする。また、無線リソース制御部２０１１は、上りリンクの各チャネルに配置される情報を生成し、送信部２０３に出力する。
【００９７】
無線リソース制御部２０１１は、基地局装置から送信されたＣＳＩフィードバックに関する設定情報を取得し、制御部２０２に出力する。
【００９８】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【００９９】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１００】
制御部２０２は、チャネル状態情報生成部２０５が生成したＣＳＩを基地局装置に送信するように送信部２０３を制御する。
【０１０１】
受信部２０４は、制御部２０２から入力された制御信号に従って、アンテナ２０６を介して基地局装置１Ａから受信した受信信号を、分離、復調、復号し、復号した情報を上位層処理部２０１に出力する。
【０１０２】
無線受信部２０４１は、アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１０３】
また、無線受信部２０４１は、変換したディジタル信号からＣＰに相当する部分を除去し、ＣＰを除去した信号に対して高速フーリエ変換を行い、周波数領域の信号を抽出する。
【０１０４】
フレーム解釈部２０４４は、基地局装置１より送信された信号が備えるフレーム構成を解釈する。フレーム解釈部２０４４は、ブラインドで該フレーム構成を解釈することができる。例えば、フレーム解釈部２０４４は、該フレーム構成が備えるリソース割り当てのうち、少なくとも該フレーム構成を示す情報が配置されるリソース位置をブラインド検出し、該リソースで送信された情報に基づいて、該フレーム構成を解釈することができる。例えば、フレーム解釈部２０４４は、ＲＲＣシグナリング等の上位レイヤのシグナリングによって、該フレーム構成を示す情報、もしくは、該フレーム構成を示す情報が配置され
るリソース位置、もしくは、該フレーム構成を示す情報が配置されるリソース位置の候補を取得し、該情報に基づいて、フレーム構成を解釈したり、フレーム構成を解釈するために必要な情報が配置されるリソース位置をブラインド検出することができる。
【０１０５】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１０６】
信号検出部２０４３は、ＰＤＳＣＨ、チャネル推定値を用いて、信号検出し、上位層処理部２０１に出力する。
【０１０７】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、アンテナ２０６を介して基地局装置１Ａに送信する。
【０１０８】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１０９】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１１０】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。  なお、上りリンク参照信号は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列に基づいて送信部２０３により生成される。
【０１１１】
フレーム構成部２０３３は、基地局装置１Ａが備えるフレーム構成部１０３３と同様に、送信部２０３が生成する送信信号のフレームフォーマット（フレーム構造、フレームタイプ、フレーム形式、フレームパターン、フレーム生成方法、フレーム定義）、もしくはフレームフォーマットを示す情報、もしくはフレームそのものを提供する。フレーム構成部２０３３の動作については後述する。なお、フレーム構成部２０３３の機能を、他の構成部（例えば、上位層処理部２０１）が備えていても構わないことは、言うまでもない。
【０１１２】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ
２０６に出力して送信する。
【０１１３】
本実施形態に係る信号検出部２０４３は、自装置宛ての送信信号の多重状態に関する情報と、自装置宛ての送信信号の再送状態に関する情報に基づいて、復調処理を行なうことが可能である。
【０１１４】
図４は、本実施形態に係るフレーム構成部１０３３が生成する下りリンク信号のフレームフォーマット（第１のフレームフォーマット、第１のフレーム構造）の一例を示す概要図である。図４に示すように、第１フレームフォーマットは、制御信号リソース４０００と、データ信号リソース４００１と、共通参照信号（共通ＲＳ、セル固有ＲＳ）リソース４００２と、固有参照信号（固有ＲＳ、復調用参照信号、復調用ＲＳ、端末固有参照信号）リソース４００３と、の何れか１つを少なくとも備える。
【０１１５】
フレームを実現する信号波形（伝送方式）は何かに限定されるものではなく、ＯＦＤＭ伝送に代表されるマルチキャリア伝送方式でも良いし、ＳＣ−ＦＤＭＡ伝送に代表されるシングルキャリア伝送方式でも良い。例えば、ＯＦＤＭ伝送であれば、第１のフレームフォーマットは複数のＯＦＤＭ信号で構成されることになる。
【０１１６】
各リソースの時間長（時間周期）および帯域幅は何かに限定されるものではない。例えば、制御信号リソース４０００は、時間長として３ＯＦＤＭシンボル長を備え、帯域幅として、１２サブキャリアを備えることができる。
【０１１７】
第１のフレームフォーマットは、時間方向および周波数方向にアグリゲーションすることが可能である。図５は、本実施形態に係るフレーム構成部１０３３が生成する下りリンク信号のフレームフォーマットの一例を示す概要図である。図５の例では、サブフレーム５０００が時間方向にＮ個アグリゲーションされることで１つのフレームが構成されている。サブフレーム５０００は、図４に示す第１のフレームフォーマットの構成とすることができる。なお、図５の例によれば、該フレームが占有する周波数帯域幅はサブフレーム５０００の周波数帯域幅と同じとなるが、該フレームは、サブフレーム５０００を周波数方向にアグリゲーションすることが可能である。例えば、サブフレーム５０００を周波数方向に８個配置する構成となれば、該フレームが占有する周波数帯域幅は、サブフレーム５０００の周波数帯域幅の８倍となる。図５に示すように、複数のサブフレームからフレームが構成される場合、図４に示すフレームフォーマットを第１のサブフレームフォーマットと呼び、図５に示すフレームフォーマットを、第１のフレームフォーマットと呼ぶことともする。
【０１１８】
なお、本実施形態において、複数のサブフレームを束ねて１つのフレームを形成することを、アグリゲーションと呼称しているが、フレーム構成部１０３３は、複数のサブフレームを時間方向および周波数方向に複数配置することで生成したフレームフォーマットを、最初から１つのフレームフォーマットと定義することが可能である。また、時間方向及び／又は周波数方向に束ねる数はパラメータとして設定されてもよく、この場合、このパラメータは基地局装置から端末装置に指示される。
【０１１９】
図４に戻り、制御信号リソース４０００には、基地局装置１Ａが送信する下りリンク信号に関する制御情報が含まれる。該制御情報は、例えば、基地局装置１ＡがＰＤＣＣＨで送信する情報である。該制御情報には、基地局装置１Ａに接続する全ての端末装置に報知される共通制御情報と、基地局装置１Ａに接続する各端末装置に個別に通知される固有制御情報とを含む。
【０１２０】
データ信号リソース４００１には、基地局装置１Ａが送信するデータ信号が含まれる。
該データ信号は、例えば、基地局装置１ＡがＰＤＳＣＨで送信する情報である。
【０１２１】
共通ＲＳリソース４００２には、基地局装置１Ａに接続される全ての端末装置に送信される共通参照信号（共通ＲＳ、セル固有参照信号）が配置される。共通ＲＳは、端末装置２Ａが、自装置の受信品質に関連付けられた情報（例えばＣＳＩ）を推定するのに用いられる。また、共通ＲＳは、端末装置２Ａが制御信号リソース４０００で送信される信号を復調するためにも用いられる。また、共通ＲＳは、端末装置２Ａが基地局装置１Ａを検出するためにも用いられる。また、共通ＲＳは、端末装置２Ａが基地局装置１Ａより送信される信号に対して同期処理（サンプリング同期、ＦＦＴ同期）を行なうためにも用いられる。
【０１２２】
固有ＲＳリソース４００３には、基地局装置１Ａに接続される端末装置２にそれぞれ個別に送信される固有参照信号（固有ＲＳ、復調用参照信号）が配置される。固有ＲＳは、基地局装置１Ａが、データ信号リソース４００１に配置する各端末装置宛てのデータ信号に関連付けられている。端末装置２Ａは、データ信号リソース４００１に配置された自装置宛てのデータ信号を復調するために、自装置宛てに送信された固有ＲＳを用いることができる。
【０１２３】
第１のフレームフォーマットは、図４に示すようにデータ信号リソース４００１が共通ＲＳリソース４００２と固有ＲＳリソース４００３を備えることができる。また、フレーム構成部１０３３は、共通ＲＳリソース４００２および固有ＲＳリソース４００３を、時間方向および周波数方向に対して離散的に配置することができる。なお、フレーム構成部１０３３は、データ信号リソース４００１に、更に制御情報リソース４０００を備えても良い。フレーム構成部１０３３が、データ信号リソース４００１に備える制御情報リソース４０００は、例えば、ＥＰＤＣＣＨが配置されるリソースであり、該リソースは、データ信号リソース４００１において他の信号が配置されるリソースに対して、時間多重されても良いし、周波数多重されても良い。
【０１２４】
フレーム構成部１０３３は、第１のフレームフォーマットに対して、更に同期信号リソース４００４および報知信号リソース４００７を備えることができる。同期信号リソース４００４および報知信号リソース４００７には、基地局装置１Ａから送信される信号を受信可能な端末装置２に報知される同期信号および報知信号が配置される。同期信号は、端末装置２Ａが、基地局装置１Ａから送信される信号に対する初期同期を行なうための信号であり、例えばＰＳＳ（Primary Synchronization Signal、プライマリ同期信号）やＳＳＳ（Secondary Synchronization Signal、セカンダリ同期信号）である。報知信号は、端末装置２Ａが、基地局装置１Ａに関するシステム情報を取得するための信号であり、例えば基地局装置１ＡがＰＢＣＨで送信する情報を含む。フレーム構成部１０３３は、同期信号リソース４００４および報知信号リソース４００７を、必ずしも、すべてのサブフレームに対して配置する必要はない。
【０１２５】
基地局装置１Ａは、同期信号リソース４００４および報知信号リソース４００７を配置するリソース位置（もしくは配置する可能性のあるリソース候補）を、端末装置２Ａに対して、通知（指示）することができる。また、基地局装置１Ａと、端末装置２Ａは、同期信号リソース４００４および報知信号リソース４００７を配置されるリソース位置（もしくは配置する可能性のあるリソース候補）を予め取り決めておくことができる。なお、ここでリソース位置を示す情報には、時間リソース（サブフレーム番号、ＯＦＤＭ信号番号、フレーム番号、スロット番号等）、周波数リソース（サブキャリア番号、リソースブロック番号、周波数バンド番号等）、空間リソース（送信アンテナ番号、アンテナポート番号、空間ストリーム番号等）、符号リソース（拡散符号系列、符号生成式、符号生成シード等）等を示す情報が含まれる。
【０１２６】
なお、以下では、上記と同様に、「基地局装置１Ａが端末装置２Ａに情報を通知する」と記載した場合、特に断らない限り、基地局装置１Ａと端末装置２Ａとの間で該情報を予め共有している状態（もしくは予め取り決めておく状態）も含む。一般的に、基地局装置１Ａが端末装置２Ａに情報を通知することで、オーバーヘッドは増加するが、時々刻々と変化する無線伝搬環境に対応することができる。一方で、基地局装置１Ａと端末装置２Ａが予め情報を共有しておくと、時々刻々と変化する無線伝搬環境への対応が難しくなる場合もあるが、オーバーヘッドは低下する。
【０１２７】
図６は、本実施形態に係るフレーム構成部１０３３が生成する下りリンク信号のフレームフォーマット（第２のフレームフォーマット、第２のフレーム構造）の一例を示す概要図である。図６に示すように、第２のフレームフォーマットは、制御信号リソース４０００と、データ信号リソース４００１と、共通ＲＳリソース４００２と、固有ＲＳリソース４００３と、の何れか１つを少なくとも備える。
【０１２８】
第２のフレームフォーマットは、共通ＲＳリソース４００２と、データ信号リソース４００１が、時間的にシーケンシャルに配置される。また、第２のフレームフォーマットは、フレームの前半に共通ＲＳリソース４００２と、制御信号リソース４０００が配置される。なお、図６に示す例では固有ＲＳリソース４００３も、フレームの前半に配置されるが、フレーム構成部１０３３は、データ信号リソース４００１に、固有ＲＳリソース４００３を含めることができる。データ信号リソース４００１が、固有ＲＳリソース４００３を含む場合、フレーム構成部１０３３は、該固有ＲＳリソース４００３を、時間方向および周波数方向に離散的にデータ信号リソース４００１の範囲内に配置することができる。
【０１２９】
なお、フレーム構成部１０３３は、データ信号リソース４００１に、更に制御情報リソース４０００を備えても良い。フレーム構成部１０３３が、データ信号リソース４００１に備える制御情報リソース４０００に配置される信号は、例えば、ＥＰＤＣＣＨで送信される信号である。制御情報リソース４０００は、データ信号リソース４００１において他の信号が配置されるリソースに対して、時間多重されても良いし、周波数多重されても良い。
【０１３０】
第２のフレームフォーマットに基づいて生成された送信信号を受信する端末装置２Ａは、フレーム前半に配置された共通ＲＳリソース４００２に配置された共通ＲＳを用いることで、該送信信号を送信した装置に対する初期同期処理を行なうことが可能である。すなわち、本実施形態に係るフレーム構成部１０３３は、第２のフレームフォーマットにおいては、共通ＲＳリソース４００２に同期信号リソース４００４を含めることができる。フレーム構成部１０３３は、第２のフレームフォーマットにおいて、共通ＲＳリソース４００２を配置するリソースと同期信号リソース４００４を配置するリソースを共通とすることができる。フレーム構成部１０３３は、共通ＲＳリソース４００２に配置される共通ＲＳの一部を、同期信号とすることができる。
【０１３１】
フレーム構成部１０３３は、第１のフレームフォーマットに対して同期信号リソース４００４を配置するリソースと、第２のフレームフォーマットに対して同期信号を配置するリソースを、共通とすることも出来るし、異なるリソースとすることもできる。基地局装置１Ａは、第１のフレームフォーマットに配置される同期信号リソース４００４で送信する同期信号と、第２のフレームフォーマットに配置される同期信号リソース４００４で送信する同期信号とを、同じ信号とすることが出来るし、異なる信号とすることができる。ここで、同じ信号とは、該信号に含まれる情報、もしくは該信号に適用される無線パラメータの少なくとも一部が共通であることを含む。
【０１３２】
フレーム構成部１０３３が第１のフレームフォーマットおよび第２のフレームフォーマットに対して、同期信号リソース４００４（もしくは報知信号リソース４００７）を配置するリソースが異なる場合、端末装置２Ａの受信部２０４は、同期信号リソース４００４が配置される可能性のある複数のリソースに対して同期処理を行なうことができる。そして、端末装置２Ａの受信部２０４は、該複数のリソースに対する同期処理の結果に基づいて、自装置が受信している信号のフレームフォーマットを認識することができる。例えば、端末装置２Ａの受信部２０４が、第２のフレームフォーマットにおいて同期信号リソース４００４が配置される可能性のあるリソースに対して同期処理を行ない、その結果として同期がとれたと判断した場合、端末装置２Ａの受信部２０４は、自装置が受信した信号のフレームフォーマットは第２のフレームフォーマットであると認識することができる。すなわち、端末装置２Ａは、フレームフォーマットをブラインド検出することが可能であり、上記方法によれば、端末装置２Ａは、同期処理によって、フレームフォーマットをブラインド検出することができる。
【０１３３】
フレーム構成部１０３３は、第２のフレームフォーマットに、さらに報知信号リソース４００７を含めることができる。第１のフレームフォーマットと同様に、フレーム構成部１０３３は、全ての送信信号に報知信号リソース４００７を含める必要はない。フレーム構成部１０３３が第２のフレームフォーマットに対して報知信号リソース４００７を配置するリソースは、フレーム構成部１０３３が第１のフレームフォーマットに対して報知信号リソース４００７を配置したリソースと同じとすることができるし、異なるリソースとすることもできる。
【０１３４】
基地局装置１Ａおよび端末装置２Ａは、フレームフォーマットごとに、同期信号リソース４００４および報知信号リソース４００７が配置されるリソース（もしくは配置される可能性のあるリソース候補）を予め取り決めておくことができる。この場合、基地局装置１Ａは、自装置が送信している信号のフレームフォーマットを端末装置２Ａに通知することで、該リソースもしくは該リソース候補群を、端末装置２Ａに通知することができる。
【０１３５】
また、基地局装置１Ａは、第１のフレームフォーマットに対して配置された報知信号リソース４００７で送信する信号に含まれる情報と、第２のフレームフォーマットに対して配置された報知信号リソース４００７で送信する信号に含まれる情報と、を共通とすることも出来るし、それぞれ異なった情報とすることも可能である。また、基地局装置１Ａは、第１のフレームフォーマットに対して配置された報知信号リソース４００７で送信する信号の無線パラメータ（符号化率、変調方式、符号長、拡散率等）と、第２のフレームフォーマットに対して配置された報知信号リソース４００７で送信する信号の無線パラメータと、を共通とすることも出来るし、それぞれ異なった無線パラメータとすることも可能である。
【０１３６】
基地局装置１Ａは、フレーム構成部１０３３が第２のフレームフォーマットに対して報知信号リソース４００７を配置するリソース（もしくは配置する可能性のあるリソース候補）を端末装置２Ａに対して通知することができる。基地局装置１Ａは、第１のフレームフォーマットに対して報知信号リソース４００７を配置するリソースと、第２のフレームフォーマットに対して報知信号リソース４００７を配置するリソースとを、それぞれ個別に端末装置２Ａに通知することができる。
【０１３７】
なお、基地局装置１Ａが端末装置２Ａに通知する各リソースに関する情報は、基地局装置１Ａと端末装置２Ａとの間で予め取り決めておくことが可能であることは言うまでもない。
【０１３８】
基地局装置１Ａに接続する端末装置２Ａは、報知信号リソース４００７で送信されてい
る信号に含まれる情報を取得することで、自装置が受信している信号のフレームフォーマットを認識することができる。また、基地局装置１Ａのフレーム構成部１０３３が、フレームフォーマットに応じて、報知信号リソース４００７を配置するリソースを変更している場合、端末装置２Ａの受信部２０４は、報知信号リソース４００７が配置される可能性のあるリソースに対して、報知信号の復調処理を行なうことができる。端末装置２Ａは、正しく復調できた報知信号が配置されていたリソースを示す情報に基づいて、自装置が受信した信号のフレームフォーマットを認識することができる。すなわち、端末装置２Ａは、フレームフォーマットをブラインド検出することが可能であり、上記方法によれば、端末装置２Ａは、報知信号の取得によって、フレームフォーマットをブラインド検出することができる。
【０１３９】
フレーム構成部１０３３は、第１のフレームフォーマットと同様に、図６に示すフレームフォーマットを第２のサブフレームフォーマット（第２のサブフレーム）として、時間方向および周波数方向に、サブフレームをアグリゲーションすることで第２のフレームフォーマットを定義することができる。フレーム構成部１０３３は、サブフレームをアグリゲーションする際に、共通ＲＳリソース４００１と、制御情報リソース４０００と、データ信号リソース４００１と、固有ＲＳリソース４００３の全てを含んだフレームをアグリゲーションすることが出来るし、上記４つのリソースのうち、特定の組み合わせのリソースを含んだフレームをアグリゲーションすることができる。例えば、フレーム構成部１０３３は、フレームをアグリゲーションする際に、データ信号リソース４００１だけを複数個アグリゲーションすることができる。
【０１４０】
図７は、本実施形態に係るフレーム構成部１０３３が生成する下りリンク信号のフレームフォーマット（第２のフレームフォーマット）の一例を示す概要図である。図７において（ａ）がアグリゲーションを行なわない場合である。フレーム構成部１０３３は、図７（ｂ）に示すように、データ信号リソース４００１を時間方向にアグリゲーションすることができる。図７（ｂ）の例によれば、基地局装置１Ａは、端末装置２Ａ宛てのデータサイズ（ペイロードサイズ）に応じて、柔軟にフレームフォーマットを変更することができる
フレーム構成部１０３３は、図７（ｃ）に示すように、データ信号リソース４００１に加えて、固有ＲＳリソース４００３も時間方向にアグリゲーションすることができる。図７（ｃ）によれば、基地局装置１Ａは、各データ信号リソース４００１に対して、違う端末装置２宛てのデータ信号を配置することができる。また、固有ＲＳが時間方向に周期的に配置されるため、基地局装置１Ａは、高速移動環境下にある端末装置２にも安定した無線通信を提供することができる。
【０１４１】
フレーム構成部１０３３は、図７（ｄ）に示すように、データ信号リソース４００１を時間方向にアグリゲーションすることができるが、アグリゲーションするデータ信号リソース４００１のフレーム長を、アグリゲーションしない場合のフレーム長（図７（ａ）に示すフレームのフレーム長）にそろえることができる。図７（ｄ）によれば、近傍に位置する基地局装置同士が、異なるアグリゲーションサイズで、第２のフレームフォーマットに基づいて下りリンク信号を送信しても、基地局装置間でフレーム同期を容易に取ることができる。当然、図７（ｅ）に示すように、データリソース信号リソース４００１に加えて、固有ＲＳリソース４００３を時間方向にアグリゲーションする場合も、アグリゲーションするフレームのフレーム長を揃えることができる。
【０１４２】
フレーム構成部１０３３は、図７（ｆ）に示すように、さらに共通ＲＳリソース４００２と、制御信号リソース４０００も、時間方向にアグリゲーションすることができる。また、フレーム構成部１０３３は、図７（ｇ）や図７（ｈ）に示すように、基地局装置１Ａの無送信区間（ヌル区間、ＮＵＬＬ区間）をフレームフォーマット内に備えることができ
る。該無送信区間の長さは、データ信号リソース４００１の長さと同じとされても良いし、データ信号リソース４００１を構成する要素（例えばＯＦＤＭ信号長）の整数倍とされても良い。
【０１４３】
フレーム構成部１０３３は、図７（ｉ）に示すように、制御情報リソース４０００、共通ＲＳリソース４００２および固有ＲＳリソース４００３をアグリゲーションすることもできる。フレーム構成部１０３３は、共通ＲＳリソース４００２をアグリゲーションすることで、送信部１０３は各共通ＲＳリソースで送信する共通ＲＳにそれぞれ異なるビームフォーミングを適用することができる。よって、例えば、端末装置２Ａは、該複数の共通ＲＳに関連付けられた受信品質を接続している基地局装置１Ａに通知することが可能となる。
【０１４４】
フレーム構成部１０３３は、図７（ｊ）に示すように、制御情報リソース４０００を備えない第２のフレームフォーマットを用いることができるし、制御情報リソース４０００および共通ＲＳリソース４００２を備えない第２のフレームフォーマットを用いることもできる。
【０１４５】
図７（ｊ）に示すように、基地局装置１Ａが制御情報リソース４０００や共通ＲＳリソース４００２を含まない第２のフレームフォーマットに基づいて信号を送信している場合、基地局装置１Ａは、他の周波数において、制御情報リソース４０００や共通ＲＳリソース４００２を含む第２のフレームフォーマットを送信することができる。例えば、基地局装置１Ａは、６ＧＨｚ以上の高周波数帯で送信する信号には、制御情報リソース４０００や共通ＲＳリソース４００２を含まない第２のフレームフォーマットに基づいて信号を送信する一方で、６ＧＨｚ未満の低周波数帯で送信する信号には制御情報リソース４０００や共通ＲＳリソース４００２を含む第２のフレームフォーマットに基づいて信号を送信することができる。この場合、基地局装置１Ａは、６ＧＨｚ未満の低周波数帯で送信する信号には、固有ＲＳリソース４００３やデータ信号リソース４００１を含まない第２のフレームフォーマットに基づいて信号を送信することができる。
【０１４６】
なお、フレーム構成部１０３３が、第２のフレームフォーマットに基づいて生成される信号を、時間方向および周波数方向にアグリゲーションする際、アグリゲーションされる各信号に含まれる各リソース（例えば共通ＲＳリソース４００１やデータ信号リソース４００２）のリソース数は、共通でも構わないし、それぞれ異なった値でも良い。ただし、基地局装置１Ａから端末装置２Ａへのシグナリング係るオーバーヘッドを抑圧する観点から、該リソース数は、アグリゲーションされる信号の信号長および周波数帯域幅に関連付けられていることが好適である。また、アグリゲーションされる複数のフレームのフレーム長や周波数帯域幅についても、共通でも構わないし、それぞれ異なった値でも構わない。ただし、基地局装置１Ａから端末装置２Ａへのシグナリング係るオーバーヘッドを抑圧する観点から、各フレーム間のフレーム長および周波数帯域幅の関係は、整数倍の関係であることが好適である。
【０１４７】
図８は、本実施形態に係るフレームフォーマットの１構成例を示す概要図である。フレーム構成部１０３３は、図８に示すように、第２のフレームフォーマットに対して、ＲＦ切替期間４００５と、上りリンク信号リソース４００６を含めることができる。図８に示すフレームフォーマットは、時間分割複信（Time division duplex：ＴＤＤ）を複信方式とする基地局装置１Ａおよび端末装置２Ａが用いることができる。ＲＦ切替期間４００５は、該フレームフォーマットに基づいて基地局装置１Ａが送信した信号を受信した端末装置が、自装置の受信動作を送信動作に切り替えるために用いる期間である。基地局装置１Ａは、ＲＦ切替期間４００５を無送信期間としても良いし、何かしらの信号（例えば共通RS）を送信しても良い。なお、第２のフレームフォーマットに基づいて生成されたフレー
ムを連続して送信するために、フレーム構成部１０３３は、上りリンク信号リソース４００６の後半にも、ＲＦ切替期間４００５を設けても良いし、連続して送信されるフレーム間に無送信区間を設定することもできる。なお、基地局装置１Ａは、第２のフレームフォーマットを用いる場合、ＴＤＤを用いる場合には、ＲＦ切替期間４００５と、上りリンク信号リソース４００６を第２のフレームフォーマットに設定し、ＦＤＤを用いる場合には、ＲＦ切替期間４００５と、上りリンク信号リソース４００６を第２のフレームフォーマットに設定せずに、それぞれの第２のフレームフォーマットに基づいて、送信信号を生成できる。
【０１４８】
図８に示すフレームフォーマットに基づいて基地局装置１Ａが送信した送信信号を受信した端末装置２Ａは、データ信号リソース４００１に配置された自装置宛てのデータ信号に関する受信可否を示す情報（ACKもしくはNACK）を、上りリンク信号リソース４００６
に配置して、基地局装置１Ａに対して送信することができる。よって、基地局装置１Ａは、端末装置２Ａ宛てのデータ信号が正しく受信されたか否かを、すぐに把握することが可能となるから、下りリンク信号の送信に係る遅延時間を短縮することが可能となる。
【０１４９】
フレーム構成部１０３３は、第１のフレームフォーマットおよび第２のフレームフォーマットを含む複数のフレームフォーマットを定義することができる。また、フレーム構成部１０３３は、第１のフレームフォーマットおよび第２のフレームフォーマットの無線パラメータを変更することで、複数のフレームフォーマットを定義することができる。ここで、無線パラメータには、周波数帯域幅、中心周波数、周波数バンド、サブキャリア間隔、サブキャリア数、シンボル長、ＦＦＴ／ＩＦＦＴサンプリング周期、ＧＩ長、ＣＰ長、フレーム長、サブフレーム長、スロット長、ＴＴＩ、ＦＦＴポイント数、適用される誤り訂正符号の種類（例えば、第１のフレームフォーマットにはターボ符号が適用され、第２のフレームフォーマットには低密度パリティ検査符号が適用される等）等の一部又は全部が含まれる。また、同じフレームフォーマットで異なる無線パラメータが設定された場合、各々はタイプ（モード）が異なるとも呼ぶ。例えば、第１のフレームフォーマットに対して値の異なる無線パラメータ１と無線パラメータ２が設定された場合、各々を第１のフレームフォーマットタイプ１、第１のフレームフォーマットタイプ２と呼ぶことができる。また、基地局装置は、無線パラメータに含まれる各々の値が予め設定された無線パラメータセットを持つことができる。無線パラメータセットは１又は複数設定することができ、フレーム構成部１０３３は、無線パラメータセットを変更することで、異なるフレームフォーマット／フレームフォーマットタイプを設定することができる。また各無線パラメータセットが複数ある場合、各無線パラメータセットは簡単なルールで設定される事ができる。例えば無線パラメータセットが３つある場合、無線パラメータセット２のサブキャリア間隔は無線パラメータセット１のサブキャリア間隔はＸ（Ｘは２以上の整数）倍で、無線パラメータセット３のサブキャリア間隔は無線パラメータセット２のサブキャリア間隔はＹ（Ｙは２以上の整数）倍とすることができる。なお各無線パラメータセットに含まれる一部のパラメータは共通の値となってもよい。また無線パラメータセットは、基地局装置から端末装置に送信（指示）される。このとき端末装置は、基地局装置から受信した無線パラメータセットによって、フレームフォーマット／フレームタイプを知ることができる。なお、以降では、特に断りがない限り、フレームフォーマットと言った場合でもフレームフォーマットタイプのことも含まれるものとする。また、上記無線パラメータセットに対応しているか否かは端末の能力とすることができる。
【０１５０】
本実施形態に係る基地局装置１Ａは、複数のフレームフォーマットを選択的に、もしくは同時に用いることができる。また、基地局装置１Ａは、第１のフレームフォーマットおよび第２のフレームフォーマットに対して、それぞれ異なる無線パラメータを選択的に、もしくは一部を共通に設定することができる。基地局装置１Ａは、自装置が送信信号に用いているフレームフォーマットを示す情報を端末装置２Ａに通知することができる。ここ
で、フレームフォーマットを示す情報には、基地局装置１Ａが複数個予め定義するフレームフォーマットの何れかを示す情報（数値、指標、インジケータ）や、フレームフォーマットが含むリソース類を示す情報（例えば、制御情報リソース４０００、データ信号リソース４００１、共通ＲＳリソース４００２、固有ＲＳリソース４００３のいずれを含むか、もしくはいずれを含まないかを示す情報）や、各リソース類が配置されるリソースおよび配置される可能性のあるリソース候補を示す情報等を含む。基地局装置１Ａは、該フレームフォーマットを示す情報の少なくとも一部を、端末装置２Ａに対して、ＰＨＹ層のシグナリングで通知することが出来るし、ＲＲＣシグナリング等の上位層のシグナリングで通知することが出来る。
【０１５１】
基地局装置１Ａは、自装置が通信サービスを提供するユースケース（もしくはユースシナリオ）に応じて、フレームフォーマットを切り替えて用いることができる。また、基地局装置１Ａは、自装置が通信サービスを提供するユースシナリオに応じて、フレームフォーマットの無線パラメータを変更して用いることができる。
【０１５２】
本実施形態に係る基地局装置１Ａは、複数のユースシナリオを満足するために、複数のフレームフォーマットの組み合わせ（セット、集合）、もしくはフレームフォーマットに設定される複数の無線パラメータセットの組み合わせ（セット、集合）を備えることができる。基地局装置１Ａは、予め準備したフレームフォーマットセット（もしくは無線パラメータセットの組み合わせ）より、自装置が通信サービスを提供するユースケースに応じて、フレームフォーマットを選択し、自装置が送信する送信信号を生成することができる。基地局装置１Ａが備えるフレームフォーマット集合は、他の基地局装置が備えるフレームフォーマット集合と共通でも良いし、異なっていても良い。また、基地局装置１Ａは、自装置に接続している端末装置２Ａに対して、自装置が備えるフレームフォーマット集合を通知することができる。
【０１５３】
本実施形態に係る基地局装置１Ａは、複数のユースシナリオを満足するために、複数の送信モードを切り替えて選択することができる。ここで送信モードとは、基地局装置１Ａの送信部１０３が、送信信号を生成する際に用いることができる無線パラメータ、多重方式、スケジューリング方法、プリコーディング方法等の組み合わせで定義されるものである。複数の送信モードには、それぞれフレームフォーマットが割り当てられることができる。なお、複数の送信モードに割り当てられるフレームフォーマット／無線パラメータは、全て異なっていても良いし、一部が共通でも良い。この場合、基地局装置１Ａは、送信モードを選択することにより、複数のフレームフォーマット／無線パラメータを選択的に用いることが可能となる。
【０１５４】
基地局装置１Ａは、３つのユースシナリオをとして、ＥＭＢＢ（Enhanced mobile broadband）、ＥＭＴＣ（Enhanced Massive machine type communication）、およびＵＲＬＬＣ（Ultra-reliable and low latency communication）のそれぞれに対して、複数のフレームフォーマットを選択的もしくは同時に用いることができる。また、基地局装置１Ａは、ＥＭＢＢ、ＥＭＴＣ、およびＵＲＬＬＣのそれぞれに対して、無線パラメータの異なる第２のフレームフォーマットを用いることができる。フレーム構成部１０３３は、基地局装置１Ａが通信サービスを提供するユースシナリオに応じて、フレームフォーマットの選択および、フレームフォーマットに設定される無線パラメータを決定することが可能である。
【０１５５】
例えば、基地局装置１Ａは、ＥＭＢＢに関する下りリンク信号については、第１のフレームフォーマットに基づいてフレームを生成し、ＭＭＴＣおよびＵＲＬＬＣに関する下りリンク信号については、第２のフレームフォーマットに基づいてフレームを生成することができる。この方法では、基地局装置１Ａは、自装置が通信サービスを提供するユースケ
ース（もしくはユースシナリオ）に応じてフレームフォーマットを切り替えているが、本実施形態に係る方法は、必ずしもユースケース毎にフレームフォーマットが定義されることに限定されるものではない。
【０１５６】
基地局装置１Ａは、自装置が下りリンク信号を送信する無線媒体に基づいて、複数のフレームフォーマット／無線パラメータを選択的に、もしくは同時に用いることができる。ここで、無線媒体とは、時間リソースや、周波数リソース等の無線リソースを含むことができる。また、無線媒体とは、基地局装置１Ａが下りリンク信号を送信する周波数バンドに適用される複信方式によって区別される無線リソースを含むことができる。
【０１５７】
また、無線媒体とは、基地局装置１Ａが、通信サービスを提供するユースケース（もしくはユースシナリオ）に応じて、区別される無線リソースを含むことができる。基地局装置１Ａは、通信サービスを提供するユースケース（もしくはユースシナリオ）に応じて、使用する無線媒体を選択することができる。基地局装置１Ａは、各ユースケース（もしくはユースシナリオ）に通信サービスを提供する際に使用する無線媒体を予め、決定しておくことができる。よって、無線媒体とユースケースはお互いに関連付けられており、基地局装置１Ａは、使用する無線媒体が、どのユースケース（もしくはユースシナリオ）に関連付けられているかに基づいて、複数のフレームフォーマット／無線パラメータを選択的に、もしくは同時に用いることができる。
【０１５８】
基地局装置１Ａは、自装置が下りリンク信号を送信する無線媒体に基づいて、選択的に、もしくは同時に用いている複数のフレームフォーマット／無線パラメータを示す情報を、端末装置２Ａに対してＰＨＹ層／ＭＡＣ層もしくはＲＲＣシグナリング等の上位層のシグナリングによって通知することができる。なお、基地局装置１Ａは、上記複数のフレームフォーマット／無線パラメータを示す情報の全てを端末装置２Ａに通知する必要はなく、例えば、基地局装置１Ａは、上記複数のフレームフォーマット／無線パラメータの候補を端末装置２Ａに対して通知することができる。端末装置２Ａは、基地局装置１Ａが、無線媒体に基づいて、選択的に、もしくは同時に用いている複数のフレームフォーマット／無線パラメータを示す情報を、基地局装置１Ａより前述の方法によりシグナリングされることも出来るし、一部の情報をブラインド検出することも出来る。なお、端末装置２Ａは、自装置が受信可能な上記複数のフレームフォーマット／無線パラメータに関する情報を、基地局装置１Ａに通知することができる。
【０１５９】
基地局装置１Ａは、下りリンク信号を送信する周波数（周波数バンド、チャネル）に応じて、複数のフレームフォーマット／無線パラメータを選択的に、もしくは同時に用いることができる。例えば、基地局装置１Ａは、下りリンク信号を送信可能な周波数を、複数のグループに棲み分けることができる。例えば、基地局装置１Ａは、６ＧＨｚ未満の周波数（Below 6GHz）を周波数バンド１とし、６ＧＨｚ以上の周波数（Above 6GHz）を周波数バンド２とし、周波数バンド１で下りリンク信号を送信する場合と、周波数バンド２で下りリンク信号を送信する場合とで、フレームフォーマットを切り替えて用いることができる。また、基地局装置１Ａは、２ＧＨｚ未満の周波数を周波数バンド１とし、２ＧＨｚ以上６ＧＨｚ未満の周波数を周波数バンド２とし、６ＧＨｚ以上の周波数を周波数バンド３とし、各周波数バンドで下りリンク信号を送信する場合、各周波数バンドで定義されたフレームフォーマットに基づいて送信信号を生成することができる。
【０１６０】
基地局装置１Ａは、異なるフレームフォーマット／無線パラメータに基づいて生成された信号を同時に送信することができる。図９は、本実施形態に係る基地局装置１Ａが送信する下りリンク信号の一構成例を示す概要図である。図９の例によれば、基地局装置１Ａは、周波数に応じて、異なるフレームフォーマットを用いている。基地局装置１Ａは、１つのＯＦＤＭ信号に、複数の異なるフレームフォーマットを混在させることができる。例
えば、１つのＯＦＤＭ信号を構成する複数のサブキャリアを複数のサブキャリアグループに分割し、各サブキャリアグループに配置される送信信号は、それぞれ異なるフレームフォーマットに基づいて生成される。なお、図９の例によれば、第２のフレームフォーマットは、ＲＦ切替期間４００５と、上りリンク信号リソース４００６を備えている。そのため、基地局装置１Ａは、第１のフレームフォーマットに基づいた信号と、第２のフレームフォーマットに基づいた信号を、それぞれ異なるＯＦＤＭ信号で生成し、該異なるＯＦＤＭ信号を周波数多重して同時に送信することができる。
【０１６１】
なお、図９の例によれば、第１のフレームフォーマットに基づいて生成されるサブキャリアグループと、第２のフレームフォーマットに基づいて生成されるサブキャリアグループと、は隣接しているが、フレーム構成部１０３３は、各サブキャリアグループ間にガードバンド（ヌルサブキャリア、無送信周波数）を配置することもできる。また、図９の例によれば、第１のフレームフォーマットに基づいて生成されるサブキャリアグループと、第２のフレームフォーマットに基づいて生成されるサブキャリアグループと、のそれぞれで送信される信号のフレーム長は同じものとしているが、それぞれの信号のフレーム長は異なっていても良い。ただし、無線ネットワーク内の同期の観点から、各サブキャリアグループで送信される信号のフレーム長の関係は、整数倍の関係となっていることが好適である。
【０１６２】
また、基地局装置１Ａの送信部１０３は、サブキャリア毎、もしくは複数のサブキャリアで構成されたサブキャリアグループ毎にフィルタを適用するフィルタードＯＦＤＭ信号を生成することができる。フィルタードＯＦＤＭは、例えば、Ｆｉｌｔｅｒ  ｂａｎｋ  ｍｕｌｔｉｃａｒｒｉｅｒであったり、Ｆｉｌｔｅｒｅｄ  ＯＦＤＭであったりすることができる。フィルタ―ドＯＦＤＭでは、サブキャリア間（もしくはサブキャリアグループ間）の干渉が大幅に抑圧される。基地局装置１Ａは、自装置が生成する複数のサブキャリアグループに、それぞれ異なるフレームフォーマットを割り当てることができる。例えば、基地局装置１Ａの送信部１０３は、第１のフレームフォーマットに基づいて第１のサブキャリアグループを生成し、第２のフレームフォーマットに基づいて第２のサブキャリアグループを生成し、第１のサブキャリアグループと、第２のサブキャリアグループを含むＦｉｌｔｅｒｅｄ  ＯＦＤＭ信号を生成することができる。
【０１６３】
基地局装置１Ａは、複信方式毎にフレームフォーマットを定義することができる。例えば、基地局装置１Ａは、ＦＤＤの場合と、ＴＤＤの場合とで、それぞれ異なるフレームフォーマットを定義することができる。基地局装置１Ａは、ＦＤＤの場合は、第１のフレームフォーマットに基づいて、送信信号を生成する一方で、ＴＤＤの場合は、第２のフレームフォーマットに基づいて、送信信号を生成することができる。
【０１６４】
また、基地局装置１Ａは、１つの複信方式の中で、複数のフレームフォーマットを選択的に用いることができる。例えば、基地局装置１Ａは、ＦＤＤを複信方式と用いる場合において、第１のフレームフォーマットと第２のフレームフォーマットと、を選択的に、もしくは同時に用いることができる。また、基地局装置１Ａは、１つの複信方式の中で、第１のフレームフォーマット（もしくは第２のフレームフォーマット）に対し、複数の無線パラメータを選択的に、もしくは同時に用いることができる。
【０１６５】
また、基地局装置１Ａは、ＦＤＤとＴＤＤが混在する複信方式を用いることが可能であり、基地局装置１Ａは、ＦＤＤとＴＤＤが混在する複信方式に対して、フレームフォーマットを定義することができる。また、基地局装置１Ａは、ＦＤＤとＴＤＤが混在する複信方式において、複数のフレームフォーマット、もしくは無線パラメータを選択的に、もしくは同時に用いることができる。ＦＤＤとＴＤＤが混在する複信方式として、基地局装置１Ａは、周波数バンドでＦＤＤとＴＤＤを時間的に切り替える複信方式を用いることがで
きる。ＦＤＤとＴＤＤが混在する複信方式として、基地局装置１Ａは、上りリンク送信と下りリンク送信を同時に行なうＦｕｌｌ  ｄｕｐｌｅｘ（またはSimultaneous transmission and reception (STR)）を用いることができる。ＳＴＲにおいて基地局装置１Ａおよ
び端末装置２Ａは、それぞれ異なるフレームフォーマットに基づいて生成された送信信号を同時に送信することができる。
【０１６６】
基地局装置１Ａは、第１のフレームフォーマットと第２のフレームフォーマットに設定する無線パラメータについて、各フレームフォーマットに基づいて生成する送信信号を送信する周波数バンドが、無線事業者がサービスを提供する国や地域から使用許可（免許）が得られた、いわゆるライセンスバンド（licensed band）と呼ばれる周波数バンドであ
る場合と、国や地域からの使用許可を必要としない、いわゆるアンライセンスバンド（unlicensed band）と呼ばれる周波数バンドである場合とで、異なる無線パラメータを設定
することができる。
【０１６７】
基地局装置１Ａは、第１のフレームフォーマットと第２のフレームフォーマットに設定する無線パラメータについて、各フレームフォーマットに基づいて生成する送信信号を送信する周波数バンドがアンライセンスバンドであった場合、該アンライセンスバンドの周波数帯に応じて、設定する無線パラメータを変更できる。例えば、基地局装置１Ａは、送信信号を送信するアンライセンスバンドが５ＧＨｚ帯である場合と、６０ＧＨｚ帯である場合とで、無線パラメータを変更することができる。
【０１６８】
基地局装置１Ａは、５ＧＨｚ帯のアンライセンスバンドで用いられているフレームフォーマットの占有周波数帯域幅を整数倍に拡張することで得られるフレームフォーマットを６０ＧＨｚ帯のアンライセンスバンドに用いることができる。また、基地局装置１Ａは、６ＧＨｚ以上のライセンスバンドに用いられているフレームフォーマットで生成される送信信号を周波数方向に複数個束ねて、６０ＧＨｚ帯のアンライセンスバンドに用いることができる。基地局装置１Ａは、自装置のみ、および他の基地局装置と連携して、６ＧＨｚ以上のライセンスバンドに用いられているフレームフォーマットに基づいて生成したコンポーネントキャリアをＣＡ（Carrier Aggregation;キャリアアグリゲーション）およびＤＣ（Dual Connectivity;デュアルコネクティビティ）によって、複数個同時に、端末装置２Ａに対して、６０ＧＨｚ帯のアンライセンスバンドに配置して送信することができる。
【０１６９】
基地局装置１Ａは、６０ＧＨｚ帯のアンライセンスバンドにおいて、ＩＥＥＥ８０２．１１ａｄで定義されているチャネルの帯域幅（例えば、２ＧＨｚや２．１６ＧＨｚ）と同じ帯域幅、もしくは該帯域幅の整数倍の帯域幅のフレームフォーマットを用いることができる。また、基地局装置１Ａは、周波数帯域幅の整数倍（等倍を含む）が、ＩＥＥＥ８０２．１１ａｄで定義されているチャネルの帯域幅に一致するフレームフォーマットを、６０ＧＨｚ帯のアンライセンスバンドや、６ＧＨｚ以上のライセンスバンドに用いることができる。
【０１７０】
基地局装置１Ａは、第１のフレームフォーマットと第２のフレームフォーマットに設定する無線パラメータについて、各フレームフォーマットに基づいて生成する送信信号を送信する周波数バンドが、１つの無線事業者が占有して使用することができる占有周波数バンドである場合と、複数の無線事業者が共有して使用する共有周波数バンド（Shared band）である場合とで、異なる無線パラメータを設定することができる。
【０１７１】
基地局装置１Ａは、異なるフレームフォーマットに基づいて生成される送信信号を、周波数方向に複数配置することができる。基地局装置１Ａは、異なるフレームフォーマットに基づいて生成される送信信号を、周波数方向に複数配置する場合、複数のコンポーネントキャリア（ＣＣ）をアグリゲーションして送信するキャリアアグリゲーション（ＣＡ）
で該複数の送信信号を同時に送信することができる。なお、該キャリアアグリゲーションで送信される複数のＣＣは、異なる複数の基地局装置より送信されることができる。またキャリアアグリゲーションでは、１つのプライマリセル（ＰＣｅｌｌ；Primary Cell）及び１または複数のセカンダリセル（ＳＣｅｌｌ；Secondary Cell）がサービングセルの集合として設定される。
【０１７２】
基地局装置１Ａは、ＣＡで送信される複数のＣＣに対して、それぞれ異なるフレームフォーマット／無線パラメータを用いることができる。例えば、基地局装置１Ａは、２ＣＣのＣＡ送信を行なう場合、第１のＣＣには、第１のフレームフォーマットを適用し、第２のＣＣには、第２のフレームフォーマットを適用することができる。また、基地局装置１Ａは、各ＣＣで送信する送信信号を、異なる無線パラメータが設定された第２のフレームフォーマットに基づいて生成することができる。つまり、基地局装置１Ａはセル毎にフレームフォーマット／無線パラメータを設定することができる。例えば、基地局装置１Ａは、ＰＣｅｌｌ／ＳＣｅｌｌでは第１のフレームフォーマットで通信し、ＳＣｅｌｌでは第２のフレームフォーマットで通信することができる。また基地局装置１Ａは、ＰＣｅｌｌとＳＣｅｌｌで第２のフレームフォーマットで通信するが、設定される無線パラメータはセル毎に異なるようにすることができる。
【０１７３】
基地局装置１Ａは、プライマリセルとなるＣＣに含まれる制御情報リソース４０００に配置される制御情報に、セカンダリセルとなるＣＣに設定されるフレームフォーマットを示す情報を含めることができる。
【０１７４】
基地局装置１Ａは、異なるフレームフォーマットに基づいて生成される送信信号を、周波数方向に複数配置する場合、他の基地局装置と連携して、複数の送信ポイントから、同時に信号を送信するＤｕａｌ  ｃｏｎｎｅｃｔｉｖｉｔｙ（ＤＣ）で送信することができる。ＤＣでは、サービングセルのグループとして、マスターセルグループ（MCG; Master Cell Group）とセカンダリセルグループ（SCG; Secondary Cell Group）が設定される。
ＭＣＧはＰＣｅｌｌとオプションで１又は複数のＳＣｅｌｌから構成される。またＳＣＧはプライマリＳＣｅｌｌ（ＰＳＣｅｌｌ）とオプションで１又は複数のＳＣｅｌｌから構成される。例えば、基地局装置１Ａと基地局装置１ＢがＤＣにより、端末装置２Ａに下りリンク信号を送信する場合、基地局装置１Ａと基地局装置１Ｂは、それぞれ異なるフレームフォーマット／無線パラメータに基づいて、送信信号を生成し、送信することができる。また、基地局装置１Ａと基地局装置１ＢがＤＣにより、端末装置２Ａに下りリンク信号を送信する場合、基地局装置１Ａと基地局装置１Ｂは、それぞれ異なる無線パラメータが設定された第２のフレームフォーマットに基づいて、送信信号を生成し、送信することができる。言い換えると、基地局装置１Ａはセル毎にフレームフォーマット／無線パラメータを設定することができる。例えば、ＰＣｅｌｌとＰＳＣｅｌｌで異なるフレームフォーマットが設定されるし、ＰＣｅｌｌ／ＰＳＣｅｌｌとＳＣｅｌｌで異なるフレームフォーマットが設定される。また基地局装置１Ａ／１Ｂは、ＰＣｅｌｌとＰＳＣｅｌｌで異なる無線パラメータが設定された第２のフレームフォーマットを設定することができる。
【０１７５】
基地局装置１Ａは、周波数方向に複数配置された下りリンク信号について、それぞれに設定されているフレームフォーマット／無線パラメータに関する情報を、端末装置２Ａに通知することができる。ＣＡ又はＤＣの場合、基地局装置１Ａは、セル毎に設定されているフレームフォーマット／無線パラメータに関する情報を、端末装置２Ａに送信することができる。
【０１７６】
基地局装置１Ａは、異なるフレームフォーマット／無線パラメータに基づいて生成される送信信号を、空間方向に複数配置することができる。例えば、基地局装置１Ａは、マルチユーザ多重入力多重出力伝送（ＭＵ−ＭＩＭＯ）により、端末装置２Ａと端末装置２Ｂ
に対して、同時に下りリンク信号を送信する場合、端末装置２Ａ宛ての送信信号と、端末装置２Ｂ宛ての送信信号について、それぞれ異なるフレームフォーマットに基づいて生成し、該２つの送信信号を空間多重して送信することができる。すなわち、本実施形態に係る基地局装置１Ａが送信する送信信号は、空間方向には異なるフレームフォーマットに基づいて生成された送信信号が空間多重されていることができる。
【０１７７】
基地局装置１Ａが、異なるフレームフォーマットに基づいて生成した送信信号を空間方向に多重する場合、基地局装置１Ａは、各フレームフォーマットに関し、固有ＲＳリソース４００３が配置されるリソースの少なくとも一部を共通とすることができる。
【０１７８】
また、端末装置２Ａがユーザ間干渉又は隣接セル干渉を除去又は抑圧する機能を備えている場合、基地局装置１Ａはユーザ間干渉又は隣接セル干渉を除去又は抑圧するためのアシスト情報を送信することができる。アシスト情報（隣接セル情報）は、物理セルＩＤ、ＣＲＳポート数、ＰＡリスト、ＰＢ、ＭＢＳＦＮ（Multimedia Broadcast multicast service Single Frequency Network）サブフレーム設定、送信モードリスト、リソース割当
て粒度、ＴＤＤのＵＬ／ＤＬサブフレーム構成、ＺＰ／ＮＺＰ  ＣＳＩ−ＲＳ構成、ＱＣＬ（quasi co-location）情報、フレームフォーマット、無線パラメータの一部又は全部
を含む。なお、ＰＡは、ＣＲＳが配置されていないＯＦＤＭシンボルにおけるＰＤＳＣＨとＣＲＳの電力比（電力オフセット）である。ＰＢは、ＣＲＳが配置されているＯＦＤＭシンボルにおけるＰＤＳＣＨとＣＲＳが配置されていないＯＦＤＭシンボルにおけるＰＤＳＣＨの電力比（電力オフセット）を表す。ＱＣＬ情報は、所定のアンテナポート、所定の信号、または所定のチャネルに対するＱＣＬに関する情報である。２つのアンテナポートにおいて、一方のアンテナポート上のシンボルが搬送されるチャネルの長区間特性が、もう一方のアンテナポート上のシンボルが搬送されるチャネルから推測できる場合、それらのアンテナポートはＱＣＬであると呼称される。長区間特性は、遅延スプレッド、ドップラースプレッド、ドップラーシフト、平均利得および／または平均遅延を含む。すなわち、２つのアンテナポートがＱＣＬである場合、端末装置はそれらのアンテナポートにおける長区間特性が同じであると見なすことができる。なお、上記アシスト情報に含まれるパラメータの各々は、１つの値（候補）が設定されても良いし、複数の値（候補）が設定されてもよい。複数の値が設定される場合は、端末装置は、そのパラメータについては、干渉となる基地局装置が設定する可能性のある値が示されていると解釈し、複数の値から干渉信号に設定されているパラメータを検出（特定）する。また、上記アシスト情報は、他の基地局装置／ビームの情報を示す場合もあるし、自らの基地局装置／ビームの情報を示す場合もある。また上記アシスト情報は、様々な測定を行うときに用いられても良い。測定は、ＲＲＭ（Radio Resource Management）測定、ＲＬＭ（Radio Link Monitoring）測定、ＣＳＩ（Channel State Information）測定を含む。
【０１７９】
端末装置２は、基地局装置１と通信を行うためのコンポーネントキャリアのうちの一つをＰｃｅｌｌ（Primary cell）として接続し、使用されている周波数バンドはライセンスバンド（第１の周波数帯域）であるものとすることができる。ここで、ライセンスバンドとは、無線事業者がサービスを提供する国や地域から使用許可が得られた周波数バンドを指す。つまり、ライセンスバンドとは特定の無線事業者が専用的に使用することが可能な周波数バンドである。
【０１８０】
本実施形態に係る基地局装置１は、アンライセンスバンドの一部をＳｃｅｌｌ（Secondary cell）としたＣＡにより端末装置２とのデータ通信を行なうことができる。よって、端末装置２は、基地局装置１が下りリンクデータ伝送の制御情報を送信するＰＤＣＣＨ（Physical Downlink Control Channel）やＥＰＤＣＣＨ（Enhanced Physical Downlink Control Channel）のモニタリングを、ライセンスバンドに加えて、アンライセンスバンド
でも行うことができる。ＰＤＣＣＨのモニタリングには、同期処理と、下りリンク制御情
報であるＤＣＩ（Downlink control information）を復号するためにサーチスペースのブラインドデコーディングが含まれる。ここで、アンライセンスバンド（第２の周波数帯域）とは、無線事業者が国や地域から使用許可を必要とせずにサービスの提供が可能な周波数バンドを指す。つまり、アンライセンスバンドとは特定の無線事業者が専用的に使用することができない周波数バンドである。なお、本実施形態に係る通信方法は、基地局装置１から端末装置２への伝送（下りリンク伝送、下りリンク回線、ダウンリンク、下りリンク）だけでなく、端末装置２から基地局装置１への伝送（上りリンク回線、アップリンク、上りリンク）にも、適用可能である。
【０１８１】
なお、本実施形態に係る基地局装置１が通信を行なう周波数バンドは、これまで説明してきたライセンスバンドやアンライセンスバンドには限らない。本実施形態が対象とする周波数バンドには、国や地域から特定サービスへの使用許可が与えられているにも関わらず、周波数間の混信を防ぐ等の目的により、実際には使われていないホワイトバンド（ホワイトスペース）と呼ばれる周波数バンド（例えば、テレビ放送用として割り当てられたものの、地域によっては使われていない周波数バンド）や、これまで特定の事業者に排他的に割り当てられていたものの、将来的に複数の事業者で共用することが見込まれる共用周波数バンドも含まれる。例えば、基地局装置１はＰｃｅｌｌをライセンスバンドに設定する一方で、Ｓｃｅｌｌをホワイトバンドの一部に設定する場合も本実施形態には含まれる。フレーム制御部１０３１は、基地局装置１がＳｃｅｌｌを設定する周波数バンドに応じて、Ｓｃｅｌｌの信号のフレームの構成を変更することができる。
【０１８２】
本実施形態に係る基地局装置１の受信部１０４および、端末装置２の受信部２０４は、キャリアセンスを行なう機能を備える。キャリアセンスは、無線媒体が空いている状態（アイドル状態）であるか空いていない状態（ビジー状態）であるかを判断する機能である。例えば、基地局装置１の受信部１０４は、アンテナ１０５で受信した信号の受信電力が所定の閾値（キャリアセンスレベル、ＣＣＡレベル、エネルギー検出レベル）を超えていた場合、無線媒体はビジー状態（占有状態）と判断し、送信部１０３は送信信号の送信を停止する。基地局装置１の受信部１０４は、アンテナ１０５で受信した信号の受信電力が所定の閾値を超えていなかった場合、無線媒体はアイドル状態（使用可能状態）と判断し、送信部１０３は送信信号の送信を開始することができる。本実施形態にかかるキャリアセンス動作には、上述したような受信した信号の受信電力に基づいて判断する方法（エネルギー検出基準）と受信した信号の受信電力に加えて、受信した信号に含まれる情報（例えば、該信号が準拠する通信規格を示す情報）にも基づいて判断する方法（プリアンブル検出基準）とを、少なくとも含む。
【０１８３】
なお、本実施形態に係るキャリアセンス動作には、送信待機に関する動作を含めることができる。送信待機に関する動作には、予め決められた所定の長さ（例えば３４ｕｓ、２５ｕｓ、１６ｕｓ）だけ送信待機する動作を含む。送信待機に関する動作には、基地局装置１および端末装置２がそれぞれ選択するランダムな値に基づいて決定される時間だけ送信待機する動作を含む。該ランダムな値は、所定の最小値と所定の最大値から選択される値に基づいて選択されることができる。基地局装置１および端末装置２は該送信待機に関する動作の間も、先に示したエネルギー検出基準やプリアンブル検出基準に基づいたキャリアセンスを継続して行なうこともできる。
【０１８４】
本実施形態において、基地局装置１は、端末装置２Ａと端末装置２Ｂに対して、さらにアンライセンスバンドの一部をＳｃｅｌｌ（Secondary cell）としてＣＡ（Carrier aggregation）を行なう事を考える。しかし、通信システムがＬＴＥ方式に基づいてアンライ
センスバンドを連続的に占有してしまうと、ＩＥＥＥ８０２．１１システムに代表される他の既存通信システムによって通信を行なう他の装置が、該アンライセンスバンドでの通信を行なうことができなくなる。また、基地局装置１は、アンライセンスバンドの一部を
Ｓｃｅｌｌとして用いて通信を行なっている間、該周波数バンドにてキャリアセンスを行なうことが出来ない。
【０１８５】
そこで、本実施形態に係る基地局装置１のフレーム構成部１０３３は、基地局装置１がＬＴＥ方式に基づいてＰｃｅｌｌで送信する信号と、Ｓｃｅｌｌで送信する信号とで、異なるフレーム構成となるように制御する。
【０１８６】
図１２Ａは本実施形態に係るフレーム制御部１０３１が設定するフレーム構成の一例を示す図である。ＬＴＥ方式に基づくフレーム（ＬＴＥフレーム）は、長さ１ミリ秒（ｍｓ）のサブフレーム（ＬＴＥサブフレーム）１０個から構成されるから、その長さは１０ｍｓとなる。本実施形態において、基地局装置１が、ライセンスバンドのＰｃｅｌｌで送信する信号は、ＬＴＥ方式のフレーム構成とすることができる。なお、本実施形態に係る基地局装置１がライセンスバンドで送信する信号の通信方式は何かに限定されるものではない。当然、基地局装置１がライセンスバンドで用いる通信方式は、先に説明してきた複数のフレーム構成が設定可能な通信方式とすることができる。
【０１８７】
一方、本実施形態において、基地局装置１がアンライセンスバンドのＳｃｅｌｌで送信する信号のフレーム構成は、フレーム長はＬＴＥフレームと同様に１０ｍｓとする一方で、フレームを構成するサブフレーム数は１０未満とする。すなわち、基地局装置１がアンライセンスバンドのＳｃｅｌｌで送信する信号のフレームに対して、フレーム構成部１０３３は信号がない無信号期間（図１２中でヌルとしている期間）を与える。なお、フレームを構成するサブフレーム数は自然数でなく、「８．５フレーム」のように、小数点で表現される数であってもよい。また、１サブフレームに含まれるＯＦＤＭシンボル数が少ないサブフレームがあってもよい。なお、ＯＦＤＭシンボル数の少ないサブフレームのことを部分サブフレームとも呼ぶ。基地局装置１は端末装置２に対して、部分サブフレームかどうか、及び／又は、部分サブフレームに含まれるＯＦＤＭシンボル数を制御情報で送信することができる。フレーム構成部１０３３は、ＬＴＥサブフレームを配置する期間と無信号期間の合計期間が、基地局装置１がライセンスバンドのＰｃｅｌｌで送信するＬＴＥフレームのフレーム長と同じになるように制御する。つまり、フレーム構成部１０３３が設定するＳｃｅｌｌの信号のフレーム長は常に一定長（例えば１０ｍｓ）であり、１つの信号のフレームに含まれるＬＴＥサブフレーム数や無信号期間の長さや配置される位置には、信号のフレーム長は依存しない。フレーム構成部１０３３がこのようなフレーム構成を設定することで、該ヌル（Null）期間においては、基地局装置１を含め、通信システムが備える各装置は、キャリアセンスを行なうことが可能となる。例えば他の端末装置２は、ＣＳＭＡ／ＣＡ（Carrier sense multiple access with collision avoidance）と呼ばれるアクセス方式に基づいて通信を開始することが可能となる。
【０１８８】
フレーム構成部１０３３は、基地局装置１がＳｃｅｌｌで送信する信号のフレームにヌル期間を与える方法として、Ｓｃｅｌｌで送信する信号のフレームを複数の信号フレームとヌルフレームとで構成するように制御してもよい。ここでヌルフレームとは信号が含まれないフレームであるものとする。また、信号フレームとは、信号が含まれるフレーム（例えばＬＴＥサブフレーム）であるものとする。ヌルフレーム長は何かに限定されるものではないが、例えば、フレーム構成部１０３３はヌルフレーム長とＬＴＥサブフレーム長を同じにすることができる。フレーム構成部１０３３は、複数のＬＴＥサブフレームとヌルフレームの合計期間が、基地局装置１がライセンスバンドのＰｃｅｌｌで送信するＬＴＥフレーム長と同じになるように、Ｓｃｅｌｌで送信する信号のフレームを設定する。なお、ヌル期間は必ずしもＬＴＥフレームの最後に設定される必要はなく、ＬＴＥフレームの先頭に設定されてもよい。
【０１８９】
なお、本実施形態における無信号期間とは、該無線リソースにおいて、各装置が完全に
信号の送信を止める場合に加えて、各装置が送信する信号が、自装置以外の装置に対して、所定電力（例えばキャリアセンスレベル）以下の受信電力で受信されるような送信電力やチャネル構成で各装置が信号を送信する場合も含まれる。例えば、基地局装置１は、該無信号期間において、同期チャネルの信号（例えばPSSやSSS）だけを送信するように制御してもよい。また、基地局装置１は、該無信号期間において、自装置のシステム情報（例えば、基地局装置１が物理報知チャネル（Physical Broadcast Channel：ＰＢＣＨ）で送信する報知情報や、ＩＥＥＥ８０２．１１システムで用いられるＢｅａｃｏｎフレーム）のみを送信するように制御してもよい。
【０１９０】
なお、基地局装置１は、該無信号期間において、アンライセンスバンドのＳｃｅｌｌでは、ＰＳＳやＳＳＳ等の同期チャネルの信号を送信しない一方で、ライセンスバンドのＰｃｅｌｌでは、ＰＳＳやＳＳＳ等の同期チャネルの信号を送信するように制御してもよい。
【０１９１】
なお、図１２Ａにおいては、４個のサブフレーム毎、すなわち４ｍｓ毎に１ｍｓのヌル期間を設けているが、ヌル期間の長さや、ヌル期間までのサブフレームの数は、図１２Ａに示す方法に限定されない。しかし、ヌル期間の長さはサブフレーム長／ＯＦＤＭシンボルの整数倍であることが好適であるがこれに限定されない。また、フレーム制御部１０３１は、Ｓｃｅｌｌの信号のフレームに周期的にヌル期間を与えてもよいし、通信システムのトラフィック量等に基づいて、適応的に与えてもよい。
【０１９２】
上位層処理部１０１はフレーム構成部１０３３が設定する、アンライセンスバンドのＳｃｅｌｌで送信する信号のフレーム構成を、ＲＲＣ（Radio resource control）シグナル等の、各端末装置への上位レイヤのシグナルに含めることができる。また、上位層処理部１０１は、フレーム構成部１０３３が設定する可能性のある複数のフレーム構成を示す情報を各端末装置にあらかじめシグナリングするように動作してもよいし、更に上位層処理部１０１は、更に該複数のフレーム構成に対するフレーム構成部１０３３が設定する優先度を示す情報を、各端末装置にあらかじめシグナリングするように動作してもよい。また基地局装置１は、上位層処理部１０１が各端末装置にシグナリングする複数のフレーム構成の中で、フレーム構成部１０３３が実際に用いたフレーム構成を示す情報を、別の制御情報（例えば、ＰｃｅｌｌおよびＳｃｅｌｌのＰＤＣＣＨおよびＥＰＤＣＣＨで送信される制御情報）に含めてもよい。また、該制御情報は、フレーム構成部１０３３がアンライセンスバンドのＳｃｅｌｌで送信する信号のフレームに与えたヌル期間の位置を示す情報、もしくは該フレームで送信されるＬＴＥサブフレームの位置を示す情報でもよい。
【０１９３】
なお、基地局装置１はフレーム構成部１０３３が設定するフレーム構成を、明示的に各端末装置に通知しなくてもよい。例えば、端末装置２Ａおよび端末装置２Ｂは、基地局装置１が送信する別の信号（例えばＰＳＳやＳＳＳで送信する信号）から、自装置が接続している基地局装置１を示す情報（例えば、セルＩＤ(cell ID)等）を把握することができ
る。このとき、フレーム制御部１０３１が設定するフレーム構成と、セルＩＤとを予め関連付けておくことで、端末装置ＵＥ１と端末装置ＵＥ２は、フレーム構成部１０３３が設定するフレーム構成を把握することが可能である。基地局装置１は、フレーム構成部１０３３が設定するフレーム構成と、セルＩＤの関係を示すテーブルを、予め各端末装置にシグナリングすることが可能である。
【０１９４】
受信部１０４は、ヌル期間においてキャリアセンスを行なうことができる。フレーム構成部１０３３は、キャリアセンスの結果に基づいて、フレーム構成を変更することが可能である。例えば、キャリアセンスによって該アンライセンスバンドが確保できなかった場合、フレーム制御部１０３１はヌル期間に続いて配置されているＬＴＥサブフレームの期間をヌル期間としてもよい。
【０１９５】
フレーム構成部１０３３が、キャリアセンスの結果に基づいて、Ｓｃｅｌｌの信号のフレームに更にヌルを加える場合、基地局装置１は、フレーム構成部１０３３が設定したフレーム構成を、改めて各端末装置に対して、上位レイヤのシグナルや、ＰＤＣＣＨで送信する制御情報によってシグナリングすることができる。また、基地局装置１がＰＤＣＣＨで送信する制御情報によってフレーム構成部１０３３が設定したフレーム構成をシグナリングする場合、上位レイヤのシグナリングであらかじめ各端末装置に通知していたフレーム構成との差分情報だけをシグナリングすることができる。
【０１９６】
また、フレーム構成部１０３３は、Ｓｃｅｌｌで送信する信号のフレームにヌル期間を与えるために、ＬＴＥで規格化されているＡＢＳ（Almost blank subframe）を応用する
ことができる。ＡＢＳは、主に隣接セル間干渉を抑えるために、基地局装置（または端末装置）が一部のサブフレームにおける物理チャネル（例えばＰＤＳＣＨやＰＤＣＣＨ）の一部の送信電力を小さくする、または送信自体を止める技術である。フレーム制御部１０３１は、ＡＢＳによりＳｃｅｌｌで送信する信号のフレームの一部のサブフレームの送信を止める、もしくは送信電力を小さくすることで、ヌル期間を作ってもよい。フレーム構成部１０３３は、Ｓｃｅｌｌで送信する信号のフレームに対して周期的にＡＢＳを適用することで（例えば４ｍｓ毎）、ヌル期間が周期的に配置されるようにしてもよい。
【０１９７】
なお、本実施形態において、フレーム構成部１０３３が設定するヌル期間は、必ずしも隣接セル間干渉を抑えるためのものではない。よって、本実施形態に係る通信システムが複数の基地局装置を備え、各基地局装置がアンライセンスバンドのＳｃｅｌｌで送信する信号のフレームにＡＢＳでヌル期間を与える場合、隣接する基地局装置間で信号のフレームにヌル期間を与えるタイミングをずらす必要はない。ＩＥＥＥ８０２．１１システムに代表される他システムに対する与干渉および被干渉の影響を抑えるためには、隣接する基地局装置間で、信号のフレームにヌル期間を与えるタイミングを揃えることが好適である。
【０１９８】
一方、端末装置２Ａと端末装置２Ｂは、基地局装置１よりシグナリングされるアンライセンスバンドのＳｃｅｌｌで送信される信号のフレーム構成を示す情報に基づいて、該アンライセンスバンドで送信される信号に対する復調処理を行なう。このとき、受信部２０４は、Ｓｃｅｌｌで送信される信号のフレームに与えられているヌル期間においては、制御情報のモニタリングを停止してもよい。また、基地局装置１が該ヌル期間において同期チャネルのみ送信しているような場合、受信部２０４は、該ヌル期間においては、同期処理のみを行なってもよい。
【０１９９】
なお、本実施形態に係る基地局装置１がＣＡを行なう周波数バンドは、これまで説明してきたライセンスバンドやアンライセンスバンドには限らない。本実施形態が対象とする周波数バンドには、国や地域から特定サービスへの使用許可が与えられているにも関わらず、周波数間の混信を防ぐ等の目的により、実際には使われていないホワイトバンドと呼ばれる周波数バンド（例えば、テレビ放送用として割り当てられたものの、地域によっては使われていない周波数バンド）や、これまで特定の事業者に排他的に割り当てられていたものの、将来的に複数の事業者で共用することが見込まれる共用周波数バンドも含まれる。例えば、基地局装置１はＰｃｅｌｌをライセンスバンドに設定する一方で、Ｓｃｅｌｌをホワイトバンドの一部に設定する場合も本実施形態には含まれる。フレーム構成部１０３３は、基地局装置１がＳｃｅｌｌを設定する周波数バンドに応じて、Ｓｃｅｌｌの信号のフレームの構成を変更することができる。
【０２００】
本実施形態に係る端末装置２の送信部２０３は、スペクトルが離散的に配置された信号スペクトルを備える送信信号（離散スペクトル信号）を、基地局装置１に対して上りリン
ク信号として送信することができる。図１０は本実施形態に係る端末装置２の送信部２０３が生成する離散スペクトル信号の１例を示す概要図である。図１０（ａ）においては、端末装置２Ａの離散スペクトル信号のみを記載している。図１０（ａ）に示すように、端末装置２Ａの離散スペクトル信号は、スペクトル集合の帯域幅３Ａと、スペクトル集合間の周波数間隔３Ｂと、サブキャリア間隔３Ｃと、スペクトル集合の個数を少なくともパラメータとして備える。以下では、スペクトル集合の帯域幅３Ａおよびスペクトル集合間の周波数間隔３Ｂは、全スペクトル集合で共通であるものとして説明していくが、本実施形態に係る通信方法は、この条件に限定されるものではない。
【０２０１】
図１０（ｂ）は２つの端末装置２（端末装置２Ａおよび端末装置２Ｂ）の離散スペクトル信号が周波数多重されている様子を示している。図１０（ｂ）に示すように、端末装置２Ａの離散スペクトル信号４Ａと、端末装置２Ｂの離散スペクトル信号４Ｂが重ならないように、基地局装置１が、端末装置２に対してスケジューリング情報を設定することで、端末装置２Ａと端末装置２Ｂはお互いに干渉を引き起こすことなく、上りリンク信号をそれぞれ送信することができる。ただし、これは、端末装置２Ａと端末装置２Ｂが送信する離散スペクトル信号が備えるサブキャリア間隔が等しい場合に限定される。また、１つの端末装置が周波数多重された離散スペクトル信号を送信することができる。また、スペクトル集合間の周波数間隔が固定値である場合、スケジューリング情報は、基準となるスペクトル集合の周波数位置であれば良い。なお、スペクトル集合間の周波数間隔が固定値である場合の割当てリソースをインターレースとも呼び、スケジューリング情報はインターレース割当て情報とも呼ぶ。
【０２０２】
先に説明したように、本実施形態に係る端末装置２は、サブキャリア間隔の異なる複数のフレームフォーマットを、上りリンク信号にも設定可能である。このことは、端末装置２Ａと端末装置２Ｂはそれぞれサブキャリア間隔の異なるフレームフォーマットに基づいて、離散スペクトル信号を生成することが可能であることを意味している。サブキャリア間隔の異なる離散スペクトル信号を周波数多重した場合、サブキャリア間の直交性が崩れてしまうため、たとえ、基地局装置１が端末装置２Ａと端末装置２Ｂのサブキャリア周波数が重ならないようにスケジューリング情報を設定したとしても、端末装置２Ａと端末装置２Ｂの上りリンク信号はお互いに干渉を引き起こしてしまう。
【０２０３】
そこで、本実施形態に係る端末装置２の送信部２０３は、図１０に示す離散スペクトル信号が備えるスペクトル集合のそれぞれに対して、帯域制限フィルタを適用することができる。図１１は、本実施形態に係る図１０は本実施形態に係る端末装置２の送信部２０３が生成する離散スペクトル信号の１例を示す概要図である。図１１（ａ）は、端末装置２の離散スペクトル信号６Ａのみを記載している。図１１（ａ）に示すように、本実施形態に係る端末装置２の送信部２０３は、スペクトル集合のそれぞれに対して、通過帯域幅５Ａの帯域制限フィルタを適用することができる。なお、通過帯域幅５Ａとスペクトル集合の帯域幅３Ａの関係は、通過帯域幅５Ａより帯域幅３Ａが大きければよい。この関係を満たすために、本実施形態に係る送信部２０３は、帯域制限フィルタを適用する場合、帯域制限フィルタを適用しない場合よりもスペクトル集合に含まれるサブキャリア数を小さくすることができる。なお、端末装置２がスペクトル集合に対して帯域制限フィルタを適用する方法は、何かに限定されるものではない。例えば、端末装置２は、該スペクトル集合に対して、周波数領域で重み係数を乗算することで帯域制限を実現することができる。例えば、端末装置２は、該スペクトル集合を備える離散スペクトル信号に対して、時間領域で重み係数を畳み込み演算することで、帯域制限を実現することができる。
【０２０４】
図１１（ｂ）は、２つの端末装置２（端末装置２Ａおよび端末装置２Ｂ）の離散スペクトル信号が周波数多重されている様子を示している。図１１（ｂ）においては、端末装置２Ｂの離散スペクトル信号６Ｂに設定されたサブキャリア間隔が、端末装置２Ａの離散ス
ペクトル信号６Ａに設定されたサブキャリア間隔よりも大きい場合を仮定している。また、離散スペクトル信号６Ａおよび６Ｂは、いずれも、それぞれのスペクトル集合に対して帯域制限フィルタを適用している。このように端末装置２の送信部２０３が、スペクトル集合に対して帯域制限フィルタを適用することで、異なるサブキャリア間隔が設定された離散スペクトル信号を周波数多重した場合、お互いに与え合う干渉電力を低減することができる。よって、本実施形態に係る端末装置２は、サブキャリア間隔が異なるフレームフォーマットが設定された場合においても、他の端末装置２と周波数多重されることが可能となる。
【０２０５】
なお、図１１（ｂ）においては、端末装置２Ａと端末装置２Ｂのスペクトル集合が占有する帯域幅は等しい状態で表現されているが、本実施形態に係る端末装置２Ａと端末装置２Ｂのスペクトル集合の帯域幅は、必ずしも一致している必要はない。例えば、端末装置２Ａのスペクトル集合の帯域幅がＡ（Ｈｚ）であった場合、端末装置２Ｂは２×Ａ（Ｈｚ）のスペクトル集合の帯域幅が設定されることが可能である。端末装置２間のスペクトル集合の帯域幅の関係が、整数倍の関係に限定されないのは言うまでもない。なお、スペクトル集合に含まれるサブキャリア数も、端末装置２間で異なっていても構わない事は言うまでもない。
【０２０６】
なお、図１１（ｂ）においては、端末装置２Ａと端末装置２Ｂのスペクトル集合間の周波数間隔は等しい状態で表現されているが、本実施形態に係る端末装置２Ａと端末装置２Ｂのスペクトル集合間の周波数間隔は、必ずしも一致している必要はない。例えば、端末装置２Ａのスペクトル集合間の周波数間隔がＡ（Ｈｚ）であった場合、端末装置２Ｂは２×Ａ（Ｈｚ）のスペクトル集合間の周波数間隔が設定されることが可能である。端末装置２間のスペクトル集合間の周波数間隔の関係が、整数倍の関係に限定されないのは言うまでもない。
【０２０７】
なお、図１１（ｂ）においては、端末装置２Ａと端末装置２Ｂの離散スペクトル信号の占有帯域幅は等しい状態で表現されているが、本実施形態に係る端末装置２Ａと端末装置２Ｂの離散スペクトル信号の占有帯域幅は、必ずしも一致している必要は無い。例えば、端末装置２Ａの離散スペクトル信号の占有帯域幅がＡ（Ｈｚ）であった場合、端末装置２Ｂは２×Ａ（Ｈｚ）の離散スペクトル信号の占有帯域幅が設定されることが可能である。端末装置２間のス離散スペクトル信号の占有帯域幅の関係が、整数倍の関係に限定されないのは言うまでもない。なお、離散スペクトル信号の占有帯域幅の定義は、該離散スペクトル信号が実際に配置されている周波数の合計で定義されることができる。離散スペクトル信号の占有帯域幅の定義は、該離散スペクトル信号が備える複数のサブキャリアのうち、最も低い周波数に配置されたサブキャリアの周波数と、最も高い周波数に配置されたサブキャリアの周波数との差分で定義されることができる。
【０２０８】
以上説明してきた、離散スペクトル信号の占有帯域幅、スペクトル集合の帯域幅、スペクトル集合間の周波数間隔、スペクトル集合に含まれるサブキャリア数について、本実施形態に係る端末装置２は、フレームフォーマット毎に基地局装置１により設定されることができる。
【０２０９】
端末装置２Ａは、基地局装置１より設定されたフレームフォーマット、もしくは自装置が選択したフレームフォーマットに基づいて、自装置が送信する離散スペクトル信号に帯域制限フィルタを適用するか否かを選択することができる。例えば、端末装置２Ａは、基地局装置１より所定のフレームフォーマットが設定された場合に、該帯域制限フィルタを離散スペクトル信号に適用することができる。
【０２１０】
基地局装置１は、端末装置２に対して、離散スペクトル信号に対する帯域制限フィルタ
の適用の可否を通知することができる。例えば、基地局装置１は、端末装置２に対して、所定のフレームフォーマットを設定する場合に、離散スペクトル信号に対して帯域制限フィルタを適用することも併せて設定することができる。これは、例えば、端末装置２Ａのフレームフォーマットに設定されたサブキャリア間隔が、端末装置２Ｂのフレームフォーマットに設定されたサブキャリア間隔に対して、整数倍だけ大きいサブキャリア間隔に設定されている場合、小さいサブキャリア間隔が設定された端末装置２Ａは、自装置の離散スペクトル信号の近傍に配置された端末装置２Ｂの離散スペクトル信号から大きな隣接チャネル間干渉の影響を受けるのに対して、端末装置２Ｂが端末装置２Ａの離散スペクトル信号から受ける隣接チャネル間干渉の影響は小さいためである。この場合、帯域制限フィルタを離散スペクトル信号に適用すべき端末装置２は、端末装置２Ｂであると言える。よって、基地局装置１は、所定のフレームフォーマット（上記例によれば、整数倍のサブキャリア間隔が設定された２つのフレームフォーマットのうち、サブキャリア間隔の大きいフレームフォーマット）を設定する端末装置２に対してのみ、帯域制限フィルタの適用を設定することができる。当然、端末装置２が、設定されたフレームフォーマットに基づいて、帯域制限フィルタを適用するか否かを判断しても構わない。なお、帯域制限フィルタを適用する場合と帯域制限フィルタを適用しない場合は、送信波形が異なると言うことができる。なお、帯域制限フィルタを適用しない送信波形を第１の送信波形、帯域制限フィルタを適用しない送信波形を第２の送信波形とも呼ぶ。この場合、基地局装置１は、所定のフレームフォーマットに対して、第１の送信波形か第２の送信波形かを指示又は設定することができる。
【０２１１】
本実施形態に係る端末装置２が設定可能な複数のフレームフォーマットにそれぞれ設定されたサブキャリア間隔が整数倍の関係にある場合、端末装置２は、最も小さいサブキャリア間隔が設定されたフレームフォーマットが設定された場合、端末装置２は離散スペクトル信号に対して、帯域制限フィルタを適用しなくてもよい。
【０２１２】
基地局装置１は、異なるフレームフォーマットが設定された端末装置２の離散スペクトル信号を周波数多重するか否かを決定することができる。基地局装置１は、同じサブキャリア間隔が設定されたフレームフォーマットが設定された端末装置２の離散ペクトル信号同士を周波数多重することができる。基地局装置１は、帯域制限フィルタの適用が設定されている端末装置２の離散スペクトル信号については、該端末装置２に設定されたフレームフォーマットのサブキャリア間隔が異なっていても、該端末装置２の離散スペクトル信号を周波数多重することができる。
【０２１３】
端末装置２が生成する離散スペクトル信号は、シングルキャリア信号の波形を備えていることができる。シングルキャリア信号の波形を備えている離散スペクトル信号として、本実施形態に係る端末装置２は、例えば、ブロックインターリーブド周波数分割多重アクセス（Ｂ−ＩＦＤＭＡ）信号や、クラスタードＤＦＴ拡散ＯＦＤＭ（Ｃｌｕｓｔｅｒｅｄ−ＤＦＴ−ｓ−ＯＦＤＭ）信号を生成することができる。
【０２１４】
端末装置２が生成する離散スペクトル信号は、マルチキャリア信号の波形を備えていることができる。マルチキャリア信号の波形を備えている離散スペクトル信号として、本実施形態に係る端末装置２は、例えば、ＯＦＤＭ信号や、フィルタードＯＦＤＭ（Ｆｉｌｔｅｒｅｄ  ＯＦＤＭ）信号や、フィルタバンクマルチキャリア（Filter-bank multi-carrier）信号等を生成することができる。
【０２１５】
基地局装置１は、異なる波形を備えている離散スペクトル信号を生成する端末装置２同士を周波数多重することができる。
【０２１６】
本実施形態に係る基地局装置１は、アンライセンスバンドで使用するフレームフォーマ
ットを所定の１つに限定することができる。基地局装置１は、アンライセンスバンドで使用する所定の１つのフレームフォーマットを周期的に変更することができる。基地局装置１は、キャリアセンスを行なう周波数帯域幅（例えば、２０ＭＨｚ帯域幅のＣＣ毎にキャリアセンスを行なっているのであれば、該ＣＣの帯域幅）内において、送信するフレームには１つのフレームフォーマットを設定することができる。本実施形態に係る基地局装置１は、キャリアセンスを行なったＣＣ内で送信するフレームフォーマットを変更する場合、改めてキャリアセンスを行なってからフレームフォーマットを変更することができる。
【０２１７】
本実施形態に係る基地局装置１は、ＰｃｅｌｌとＳｃｅｌｌとの同期のために、Ｐｃｅｌｌで設定するフレームフォーマットと、Ｓｃｅｌｌで設定するフレームフォーマットを同じフレームフォーマットとすることができる。
【０２１８】
基地局装置１は、アンライセンスバンドで複数のＣＣをキャリアアグリゲーションする場合、キャリアアグリゲーションする複数のＣＣに対して、同じフレームフォーマットを設定することができる。この場合、基地局装置１が複数のＣＣを送信する無線媒体に対して行なうキャリアセンスは、該複数のＣＣのうちの１つのＣＣをプライマリチャネルとし、他のＣＣは、該プライマリチャネルが送信される無線媒体に対して基地局装置１が行なうキャリアセンスに関連付けられたものとすることができる。具体的には、基地局装置１がプライマリチャネルで行なうキャリアセンスは、後述するコンテンションウインドゥを考慮するのに対して、他のＣＣで行なうキャリアセンスは該コンテンションウインドゥを考慮しなくても良い。
【０２１９】
基地局装置１は、アンライセンスバンドで複数のＣＣをキャリアアグリゲーションする場合、キャリアアグリゲーションする複数のＣＣに対して、異なるフレームフォーマットを設定することができる。この場合、基地局装置１が複数のＣＣを送信する無線媒体に対して行なうキャリアセンスは、該複数のＣＣを送信する無線媒体のそれぞれに対して独立して行なうことができる。例えば、基地局装置１が２０ＭＨｚの帯域幅を備える２つのＣＣをキャリアアグリゲーションで送信し、該２つのＣＣには異なるフレームフォーマットを設定する場合、基地局装置１は、２つのＣＣをそれぞれ送信する帯域幅２０ＭＨｚの無線媒体のそれぞれに対して、コンテンションウインドゥを考慮したキャリアセンスを、それぞれ行なうことができる。
【０２２０】
基地局装置１は、ＣＣの帯域幅に応じて、設定可能なフレーム構成に制限を加えることができる。例えば、基地局装置１は、設定可能なフレーム構成の集合に対して、所定の帯域幅以下のＣＣに対しては、設定することが出来ないフレーム構成を含めることができる。
【０２２１】
本実施形態に係る基地局装置１は、キャリアセンスにより所定の時間長だけ、無線媒体を確保することができる。本実施形態に係る基地局装置１は、キャリアセンスにより最大チャネル占有時間（Maximum Channel Occupancy Time：ＭＣＯＴ）だけ、無線媒体を確保することができる。基地局装置１は、確保したＭＣＯＴの間に、送信部１０３が信号を送信することができる。また、基地局装置１は、確保したＭＣＯＴの間に、端末装置２に対して上りリンク信号を送信するように、スケジュール情報を端末装置２に設定することができる。
【０２２２】
基地局装置１は、チャネルアクセスプライオリティクラス（優先度、優先順位、ＱｏＳクラス）毎に獲得できるＭＣＯＴのサイズを決定することができる。図１３は、本実施形態に係るチャネルアクセスプライオリティクラスとＭＣＯＴの関係を表す表である。図１３において、ｍｐは待機期間（Defer duration）に関するパラメータであり、ｍｐが大きいほど、基地局装置１は、キャリアセンス開始からの待ち時間が大きくなる。ＣＷｍｉｎ
，ｐ、ＣＷｍａｘ，ｐはいずれも、基地局装置１がランダムに選択する値に基づいて行なう送信待機に関するパラメータ（コンテンションウインド（Contention window：ＣＷ）
、もしくは単にカウンターＮ）に関するパラメータである。基地局装置１は、Ｎを０からＣＷｐの間からランダムに選択することができる。また、ＣＷｐはＣＷｍｉｎ，ｐからＣＷｍａｘ，ｐの間の値が選択される。基本的には、これらのパラメータが大きい値を取るほど、基地局装置１の送信待機時間は大きくなる。なお、図１３に示す表が含むパラメータは、あくまで一例であり、例えばＣＷｐが取り得る値に関する情報などを更に図１３に示す表が含むこともできる。
【０２２３】
図１３に示すように、チャネルアクセスプライオリティクラス毎に基地局装置１が獲得できるＭＣＯＴの長さが異なるが、通常、キャリアセンスの開始から実際の信号の送信までに要するオーバーヘッド（例えば、送信待機時間やDefer durationやランダムバックオフ時間）が大きいチャネルアクセスプライオリティクラスほど、長いＭＣＯＴが獲得可能である。
【０２２４】
本実施形態に係る基地局装置１は、設定するフレーム構成毎に獲得可能なＭＣＯＴのサイズが異なる。例えば、基地局装置１が設定するフレーム構成毎に、選択可能なチャネルアクセスプライオリティクラスが異なるように設定されることができる。例えば、基地局装置１が設定するフレーム構成毎に、それぞれチャネルアクセスプライオリティクラスが設定されることができる。例えば、基地局装置１は、設定するフレーム構成毎に、ＭＣＯＴを獲得するためのパラメータ（例えば、ｍｐ、ＣＷｍｉｎ，ｐ、ＣＷｍａｘ，ｐ）を設定することができる。このように制御することで、基地局装置１は、フレーム構成毎に、ＭＣＯＴの獲得サイズや、ＭＣＯＴ獲得に関する優先度を制御することができるから、通信システムのＱｏＳをより柔軟に制御することが可能となる。
【０２２５】
本実施形態に係る基地局装置１は、あるフレーム構成に設定された状態で獲得したＭＣＯＴ中においては、該フレーム構成を備える信号を送信することができる。一方で、本実施形態に係る基地局装置１は、あるフレーム構成に設定された状態で獲得したＭＣＯＴ中においては、該フレーム構成以外のフレーム構成を備える信号を送信することができないように設定されることができる。このように制御することで、基地局装置１は、獲得したＭＣＯＴ内で送信するフレームに設定されるフレーム構成を制御することが可能となるから、ＭＣＯＴだけ獲得した無線媒体を、効率的に利用することができる。
【０２２６】
本実施形態に係る基地局装置１は、あるフレーム構成を設定した状態で獲得したＭＣＯＴ中において、該フレーム構成とは異なるフレーム構成に設定した場合、改めて、キャリアセンスを行ない、新たにＭＣＯＴを獲得することができる。なお、この際に、基地局装置１は、先に獲得したＭＣＯＴを破棄してもよいし、維持していてもよい。
【０２２７】
本実施形態に係る基地局装置１は、あるフレーム構成に設定された状態で獲得したＭＣＯＴの間に、端末装置２に対して上りリンク信号を送信するように、スケジュール情報を端末装置２に設定する場合、該スケジューリングによって送信する端末装置２には、該フレーム構成を設定することができる。
【０２２８】
本実施形態に係る基地局装置１は、ＯＦＤＭシンボル長、ＳＣ−ＦＤＭＡシンボル長、サブフレーム長、フレーム長等を所定の時間単位として、該所定の単位の整数倍もしくは実数倍の長さの無送信区間（ヌル区間）を、自装置が送信するフレームフォーマットに設定することができる。言い換えると、本実施形態に係る基地局装置１は、所定の信号送信区間の間に、所定の時間区間の無送信区間を設定することができる。このとき、本実施形態に係る基地局装置１は、該ヌル区間の長さ、もしくは該信号送信区間の長さをフレームフォーマット毎に異なる値に設定することができる。なお、異なるヌル区間の長さが設定
されたフレームフォーマットが設定された複数のコンポーネントキャリアを基地局装置１が送信する場合、該ヌル区間の長さは、いずれも所定の時間長よりも長い値に設定することができる。
【０２２９】
該ヌル区間の長さ、もしくは該信号送信区間の長さは、基地局装置１が設定するフレームフォーマット毎に定義される時間単位（時間境界、フレーム境界、サブフレーム境界、シンボル境界、ブロック境界、基準時間、参照時間）の何れかを用いることができる。該時間単位は、ＯＦＤＭシンボル長、ＳＣ−ＦＤＭＡシンボル長、サブフレーム長、フレーム長、スロット長等が用いられることができる。例えば、該ヌル区間において、サブフレームの境界（フレーム先頭時間の境界でも良いし、フレーム終了時間の境界でも良い）を２個存在する場合、該ヌル区間には、サブフレーム境界が２回含まれると表現することができる。
【０２３０】
図１４は本実施形態に係るフレームフォーマットの１例を示す概要図である。図１４（ａ）と図１４（ｂ）はそれぞれ異なるフレームフォーマットが設定されていることを示している。なお、基地局装置１がキャリアセンスによって獲得するＭＣＯＴ１４Ａはフレームフォーマットに依らず共通であるものとする。図１４に示すように本実施形態に係る基地局装置１がフレームフォーマットに与えるヌル区間１４Ｂおよびヌル区間１４Ｃは、フレームフォーマットによって異なる値に設定することができる。このとき、基地局装置１は、該ヌル区間１４Ｂおよび１４Ｃに含まれることができるＯＦＤＭシンボル数もしくはサブフレーム数を、同じ値とすることができる。
【０２３１】
基地局装置１がフレームフォーマットに与えるヌル区間は、フレームフォーマット毎に定義されるＯＦＤＭシンボル長やサブフレーム長やタイムスロット長等の所定の時間単位の整数倍もしくは実数倍によって定義されることができる。例えば、基地局装置１がフレームフォーマットに与えるヌル区間は、ＯＦＤＭシンボル長の０．５倍と設定した場合、基地局装置１は設定するフレームフォーマットに依らず、常にフレームフォーマットに与えるヌル区間を、フレームフォーマット毎に定義されるＯＦＤＭシンボル長の０．５倍に設定することができる。このように制御することで、基地局装置１は、異なるフレームフォーマットを設定することで、異なるヌル区間を設定することが可能となる。また、基地局装置１は、異なるフレームフォーマットを設定することで、ヌル区間として設定可能な時間長を変更することが可能となる。
【０２３２】
本実施形態に係る基地局装置１は、ＯＦＤＭシンボル長、ＳＣ−ＦＤＭＡシンボル長、サブフレーム長、フレーム長等を所定の時間単位（基準単位）として、該所定の単位の整数倍もしくは実数倍の長さの無送信区間（ヌル区間）を、自装置が送信するフレームフォーマットに設定することができる。このとき、本実施形態に係る基地局装置１は、該ヌル区間の長さがフレームフォーマット毎に同じ値となるように設定することができる。
【０２３３】
図１４（ｃ）および図１４（ｄ）は、それぞれ基地局装置１が異なるフレームフォーマットを設定していることを示している。シンボル長１４Ｆおよびシンボル長１４Ｇは、基地局装置１がそれぞれ設定したフレームフォーマット毎に定義されるＯＦＤＭシンボル長を示している。図１４（ｃ）および図１４（ｄ）において、基地局装置１が獲得したＭＣＯＴ１４Ｄの長さは同じであるものとする。
【０２３４】
本実施形態に係る基地局装置１は、異なるフレームフォーマットに対して、ヌル区間１４Ｅに含めることができる基準単位の数を、異なる値に設定することができる。図１４（ｃ）および図１４（ｄ）を例にとれば、基地局装置１は、図１４（ｃ）にようにシンボル長１４Ｆを備えるフレームフォーマットを設定した場合に、ヌル期間１４Ｅに含めることができるシンボル数と、図１４（ｄ）のようにシンボル長１４Ｇを備えるフレームフォー
マットを設定した場合に、ヌル期間１４Ｅに含めることが出来るシンボル数と、を異なる値に設定することができる。このように制御することで、基地局装置１は、異なるフレームフォーマットを設定した場合においても、同じ長さのヌル期間をそれぞれのフレームフォーマットに設定することができる。このように制御することで、本実施形態に係る基地局装置１は、設定したフレームフォーマットに依らず、常に同じ期間だけ、該ヌル期間においてキャリアセンスを行なうことが可能となる。例えば、基地局装置１は、異なるフレームフォーマットを設定したＣＣをキャリアアグリゲーションして送信する場合においても、ＣＣ間で同じ時間区間のヌル区間を各ＣＣに設定することができるから、複数のＣＣが送信される無線媒体に対して、同じ時間区間だけキャリアセンスを行なうことができる。なお、図１４では、図１４（ｃ）および図１４（ｄ）については、基地局装置１が実際に信号を送信する信号送信区間について、シンボル長で区切って表現しているが、信号送信区間の時間単位は、シンボル長に限定されるものではなく、例えば、ブロック長、フレーム長、サブフレーム長、スロット長等で定義されることもできる。
【０２３５】
なお、本実施形態に基地局装置１は、先に説明した通り、無送信区間に設定することが可能なフレーム境界数を、フレームフォーマット毎に異なる値とすることができる。そのため、本実施形態に係る基地局装置１は、無送信区間に設定するフレーム境界数を、フレームフォーマット毎に適切に設定することで、各フレームフォーマットが備えることができる無送信区間の時間長を、それぞれ所定の値以上に設定することができる。このように制御することで、例えば、基地局装置１が、ＣＣ毎に異なるフレームフォーマットが設定された複数ＣＣをキャリアアグリゲーションで送信する場合に、特定のＣＣだけが、ヌル期間が短く、所定のキャリアセンス時間を確保できなくなるといった問題を回避できる。
【０２３６】
なお、本実施形態に係る基地局装置１は、ＣＣ毎に異なるフレームフォーマットが設定された複数ＣＣをキャリアアグリゲーションで送信する場合に、ヌル期間のスタートタイミングを揃えるために、信号送信区間１４Ｈに含まれるフレーム数、シンボル数、サブフレーム数、スロット数等を、基地局装置１が設定したフレームフォーマットに応じて、異なる値に設定することができる。例えば、基地局装置１が図１４（ｃ）で示されるフレームフォーマットを設定した場合に、信号送信区間で実際に基地局装置１が送信するフレーム数、シンボル数、サブフレーム数、スロット数等と、基地局装置１が図１４（ｄ）で示されるフレームフォーマットに設定した場合に、信号送信区間で実際に基地局装置１が送信するフレーム数、シンボル数、サブフレーム、スロット数等と、を異なる値に設定することができる。
【０２３７】
本実施形態に係る基地局装置１は、ＣＣ毎に異なるフレームフォーマットが設定された複数ＣＣをキャリアアグリゲーションで送信する場合に、ヌル期間のスタートタイミングを揃えるために、サブフレームを部分的にヌル区間とした部分的サブフレーム（Ｐａｒｔｉａｌ  ｓｕｂｆｒａｍｅ）を信号送信区間の先頭サブフレームもしくは最終サブフレームもしくはその両方のサブフレームとして設定することができる。つまり、本実施形態に係る基地局装置１は、信号送信区間において３．５サブフレームを送信するといった動作が可能である。このとき、基地局装置１がキャリアアグリゲーションをする複数のＣＣ間で、Ｐａｒｔｉａｌ  ｓｕｂｆｒａｍｅの配置を揃える必要はない。例えば、基地局装置１がＣＣ１とＣＣ２という２つの異なるフレームフォーマットを設定したＣＣをキャリアアグリゲーションして送信する場合、ＣＣ１はＰａｒｔｉａｌ  ｓｕｂｆｒａｍｅを信号送信区間の先頭サブフレームに設定する一方で、ＣＣ２はＰａｒｔｉａｌ  ｓｕｂｆｒａｍｅを信号送信区間の最終サブフレームに設定することが可能である。
【０２３８】
なお、基地局装置１は、信号送信区間の最終サブフレームに設定されているサブフレームがＰａｒｔｉａｌ  ｓｕｂｆｒａｍｅであるか否か、また、該Ｐａｒｔｉａｌ  ｓｕｂｆｒａｍｅに実際に含まれているシンボル数もしくはスロット数がいくつかであるかを、
基地局装置１が設定したフレームフォーマット毎に端末装置２に通知することができる。基地局装置１は、例えば、該Ｐａｒｔｉａｌ  ｓｕｂｆｒａｍｅ自体もしくは該Ｐａｒｔｉａｌ  ｓｕｂｆｒａｍｅの直前のサブフレームで送信する制御情報に、該Ｐａｒｉｔｌａ  ｓｕｂｆｒａｍｅに関する情報を含めることができる。もしくは、基地局装置１は、信号送信区間の先頭サブフレームで送信する制御情報に該Ｐａｒｔｉａｌ  ｓｕｂｆｒａｍｅに関する情報を含めることができる。
【０２３９】
本実施形態に係る基地局装置１は、端末装置２に対して、スケジューリング情報を通知することができる。該スケジューリング情報には、端末装置２に対して割り当てられた無線リソース情報が含まれている。本実施形態に係る基地局装置１は、端末装置２に対して、時間方向に連続して配置されたサブフレームに対するスケジューリング情報をまとめて通知するマルチサブフレームスケジューリング（Ｍｕｌｔｉ  ｓｕｂｆｒａｍｅ  ｓｃｈｅｄｕｌｉｎｇ：ＭＳＳ）を行なうことができる。
【０２４０】
図１５は本実施形態に係るマルチサブフレームスケジューリングの１例を示す概要図である。図１５では、基地局装置１および端末装置２の送信信号をサブフレーム単位で区切って表しているが、本実施形態に係る方法は、この定義に限定されるものではない。本実施形態に係る基地局装置１は、時刻Ｔ０に送信する下りリンク信号１５Ａに、端末装置２Ａが時刻Ｔ１までに送信することが可能な上りリンク信号１５Ｂに関するスケジューリング情報を含めることができる。例えば、下りリンク信号１５Ａには、端末装置２が、どの上りリンク信号１５Ｂの送信タイミングで端末装置２が実際に上りリンク信号を送信できるかを示す情報が含まれている。
【０２４１】
本実施形態に係る基地局装置１は、下りリンク信号１５Ａに含まれるスケジューリング情報が制御することができる上りリンク信号１５Ｂの数を、基地局装置１が設定するフレームフォーマットに基づいて、設定することができる。下りリンク信号１５Ａに含まれるスケジューリング情報が制御する上りリンク信号１５Ｂの個数単位の定義は、何かに限定されるものではなく、図１５に示すようにサブフレーム数を個数単位としても良いし、フレーム数、シンボル数、スロット数を個数単位としても構わない。すなわち、本実施形態に係る基地局装置１は、時刻Ｔ０と時刻Ｔ１の時間差を一定とした場合、時刻Ｔ０と時刻Ｔ１の間に設定されるフレーム数、シンボル数、サブフレーム数、スロット数等が、基地局装置１が設定するフレームフォーマットによって異なることを意味している。
【０２４２】
なお、本実施形態に係る基地局装置１があるフレームフォーマットに設定された状態で送信したスケジューリング情報に含まれる情報は、端末装置２が該フレームフォーマットに設定された場合に上りリンク信号を送信する際のスケジューリング情報を含むことができる。図１５を例にとれば、基地局装置１は、下りリンク信号１５Ａに含まれるスケジューリング情報は、下りリンク信号１５Ａと同じフレームフォーマットが設定された上りリンク信号１５Ｂに関する情報とすることができる。
【０２４３】
なお、本実施形態に係る基地局装置１があるフレームフォーマットに設定された状態で送信したスケジューリング情報に含まれる情報は、端末装置２が該フレームフォーマットを含む複数のフレームフォーマットに設定された場合に上りリンク信号を送信する際のスケジューリング情報を同時に含むことができる。図１５を例にとれば、基地局装置１は、下りリンク信号１５Ａに含まれるスケジューリング情報は、下りリンク信号１５Ａと同じフレームフォーマットが設定された上りリンク信号１５Ｂに関する情報だけでなく、下りリンク信号１５Ａと異なるフレームフォーマットに設定された上りリンク信号１５Ｂに関する情報を含むことができる。基地局装置１は、下りリンク信号１５Ａに含まれるスケジューリング情報に関連付けられたフレームフォーマットに関する情報を端末装置２に通知することができる。なお、基地局装置１が、スケジューリング情報に、複数のフレームフ
ォーマットに関連付けられたスケジューリング情報を同時に含む場合、各フレームフォーマットに関連付けられたスケジューリング情報が含む情報数（例えば、一つのスケジューリング情報で、端末装置２に通知可能なサブフレーム数）は、フレームフォーマット毎に異なっていてもよい。
【０２４４】
また、本実施形態に係る基地局装置１は、下りリンク信号の再送を行なう周期（初送信号を送信してから再送信号を送るまでに経過する時間）を、複数のフレームフォーマットのそれぞれについて、共通の時間とすることができる。このために、本実施形態に係る基地局装置１は、下りリンク信号の再送を行なう周期（初送信号を送信してから再送信号を送るまでに経過する時間）に含まれるフレーム数、サブフレーム数、シンボル数、スロット数の少なくともいずれか１つについて、フレームフォーマット毎に異なる値に設定することができる。このように制御することで、基地局装置１は、設定するフレームフォーマットに依らず、常に一定のタイミングで、再送信号を送信することが可能となる。
【０２４５】
また、本実施形態に係る基地局装置１は、端末装置２が下りリンク信号の受信成否を示す情報（ＡＣＫ信号もしくはＮＡＣＫ信号）を上りリンク信号に含めて送信する時刻を設定することができる。本実施形態に係る基地局装置１は、該受信可否を示す情報に関連付けられた下りリンク信号を基地局装置１が送信した時刻から、該受信可否を示す情報を含む信号を端末装置２が送信する時刻までに端末装置２が送信もしくは受信するフレーム数、サブフレーム数、シンボル数、スロット数の少なくともいずれか１つについて、フレームフォーマット毎に異なる値に設定することができる。
【０２４６】
［２．全実施形態共通］
なお、本発明に係る基地局装置及び端末装置は、ライセンスバンドに限定されずアンライセンスバンドで運用される無線アクセス技術（Radio access technology：ＲＡＴ）に
用いられることが可能である。また、アンライセンスバンドで運用されるＲＡＴは、ライセンスバンドの補助を受けることができるライセンス補助アクセスであることができる。
【０２４７】
また、本発明に係る基地局装置及び端末装置は、複数の送信ポイント（もしくは複数の受信ポイント）から信号が送信（もしくは受信）されるＤｕａｌ  ｃｏｎｎｅｃｔｉｖｉｔｙ（ＤＣ）で用いられることが可能である。基地局装置及び端末装置は、ＤＣで接続される複数の送信ポイント（もしくは受信ポイント）のいずれかの少なくとも１つとの通信に用いられることが出来る。また、本発明に係る基地局装置及び端末装置は、複数のコンポーネントキャリア（ＣＣ）が用いられるキャリアアグリゲーション（ＣＡ）で用いられることが可能である。基地局装置及び端末装置は、ＣＡされる複数のＣＣのうち、プライマリセルに対してのみ用いられることが出来るし、セカンダリセルに対してのみ用いられることが出来るし、プライマリセルとセカンダリセルの両方に用いられることもできる。
【０２４８】
本発明の一態様に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０２４９】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティ
ングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０２５０】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０２５１】
なお、本願本発明の一態様は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２５２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２５３】
本発明は、基地局装置、端末装置および通信方法に用いて好適である。
【符号の説明】
【０２５４】
１、１Ａ、１Ｂ  基地局装置
２、２Ａ、２Ｂ  端末装置
１０１    上位層処理部
１０１１  無線リソース制御部
１０１２  スケジューリング部
１０２    制御部
１０３    送信部
１０３１  符号化部
１０３２  変調部
１０３３、２０３３  フレーム構成部
１０３４  多重部
１０３５  無線送信部
１０４    受信部
１０４１  無線受信部
１０４２  多重分離部
１０４３  復調部
１０４４  復号部
１０５    アンテナ
２０１    上位層処理部
２０２    制御部
２０３    送信部
２０４    受信部
２０５    チャネル状態情報生成部
２０６    アンテナ
２０１１  無線リソース制御部
２０１２  スケジューリング情報解釈部
２０３１  符号化部
２０３２  変調部
２０３４  多重部
２０３５  無線送信部
２０４１  無線受信部
２０４２  多重分離部
２０４３  信号検出部
２０４４  フレーム解釈部
４０００〜４００７  リソース
５０００  サブフレーム
【図１】
2019145869.tif 000003
【図２】
2019145869.tif 000004
【図３】
2019145869.tif 000005
【図４】
2019145869.tif 000006
【図５】
2019145869.tif 000007
【図６】
2019145869.tif 000008
【図７】
2019145869.tif 000009
【図８】
2019145869.tif 000010
【図９】
2019145869.tif 000011
【図１０】
2019145869.tif 000012
【図１１】
2019145869.tif 000013
【図１２】
2019145869.tif 000014
【図１３】
2019145869.tif 000015
【図１４】
2019145869.tif 000016
【図１５】
2019145869.tif 000017